(57)【要約】【課題】使用者が正回転、またはその逆回転の回転操作を選択することにより大洗浄、または小洗浄を選択することができる操作部を操作するとき、回転方向変換機構が、回転巻取機構の回転方向が同じ所定の回転方向となるように回転軸から回転巻取機構に伝達される回転方向を変換することができ、回転巻取機構が自身の回転方向に沿って排水弁との連結部材を巻き上げる巻き上げ量のばらつきを抑制することができ、排水弁を適切に作動させ、適切な洗浄水量により便器を洗浄させることができる操作装置を提供する。【解決手段】本発明の操作装置は、洗浄水タンク装置の操作装置であって、駆動ユニットを有し、駆動ユニットは、回転巻取機構と、回転巻取機構の回転方向が同じ所定の回転方向となるように回転軸から回転巻取機構に伝達される回転方向を変換する回転方向変換機構と、回転巻取機構の回転角度を規制する規制機構と、を有することを特徴とする。【選択図】図７
2015190244.tif 000002
【特許請求の範囲】
【請求項１】
洗浄水タンク内に配置された排水弁を作動させ便器へ洗浄水の供給を開始させる洗浄水タンク装置の操作装置であって、
使用者が正回転、またはその逆回転の回転操作を選択することにより大洗浄、または小洗浄を選択することができる操作部と、
この操作部の回転操作により正回転方向またはその逆回転方向に回転する回転軸と、
上記排水弁と連結され、自身の移動量に応じて便器へ供給される洗浄水量を、大洗浄量または小洗浄量に切り替えるように上記排水弁を開閉させる連結部材と、
上記回転軸の回転動作を受けて連結部材を引き上げる駆動ユニットと、を有し、
上記駆動ユニットは、
上記回転軸の回転半径より大きな回転半径を有し、自身の回転方向に沿って上記連結部材を巻き上げる回転巻取機構と、
上記回転軸の回転方向が正回転方向である場合、上記回転軸の回転方向が逆回転方向である場合のいずれの場合にも、上記回転巻取機構の回転方向が同じ所定の回転方向となるように上記回転軸から上記回転巻取機構に伝達される回転方向を変換する回転方向変換機構と、
上記回転軸の回転方向が正回転方向である場合、上記回転軸の回転方向が逆回転方向である場合のうちいずれか一方の場合における上記回転巻取機構の回転角度が、いずれか他方の場合における上記回転巻取機構の回転角度よりも小さくなるように、上記回転巻取機構の回転角度を規制する規制機構と、を有することを特徴とする操作装置。
【請求項２】
上記駆動ユニットは、
上記回転方向変換機構に組み込まれる第一回転歯車部材であって、上記第一回転歯車部材は、上記回転軸の回転方向が正回転方向である場合、上記回転軸の回転方向が逆回転方向である場合のうちいずれか一方の場合において、上記回転軸と連動して回転するように上記回転軸に取付けられ、且つ外歯が形成された第一歯車部を備える、第一回転歯車部材と、
上記回転巻取機構、上記回転方向変換機構及び上記規制機構に組み込まれる回転巻取部材であって、上記回転巻取部材は、上記第一歯車部と係合するように外周の一部に外歯が形成され、巻取部材軸を中心として回転する巻取部材歯車部と、自身の外周に沿うように上記連結部材を取付ける取付部と、上記巻取部材軸より外側において自身を回転させる力を受けることができる受動部とを備え、自身の回転方向に沿って上記連結部材を巻き上げる回転巻取部材と、
上記回転方向変換機構に組み込まれる第二回転歯車部材であって、上記第二回転歯車部材は、上記回転軸の回転方向が正回転方向である場合、上記回転軸の回転方向が逆回転方向である場合のうちいずれか他方の場合において、上記回転軸と連動して回転するように上記回転軸に取付けられ、且つ外歯が形成された第二歯車部を備える、第二回転歯車部材と、
上記回転方向変換機構に組み込まれる第三回転歯車部材であって、上記第三回転歯車部材は、外歯が形成された第三歯車部を備え、この第三歯車部が上記第二歯車部と係合し、第三回転歯車部材軸を中心として回転する、第三回転歯車部材と、
上記回転巻取機構、上記回転方向変換機構及び上記規制機構に組み込まれる回転当接部材であって、上記回転当接部材は、自身の回転方向と同じ方向に上記回転巻取部材を回転させるように、上記回転巻取部材の上記受動部と当接する第１当接部と、上記第三歯車部と係合する外歯が形成された当接部材歯車部とを備え、上記巻取部材軸を中心として回転する、回転当接部材と、を有する請求項１記載の操作装置。
【請求項３】
上記駆動ユニットは、さらに、上記回転軸の回転角度に対して、上記回転巻取機構の回転角度を増加させる増速機構を有する請求項１又は２に記載の操作装置。
【請求項４】
上記駆動ユニットは、さらに、上記回転軸の回転角度に対して、上記回転巻取機構の回転角度を減少させる減速機構を有する請求項１又は２に記載の操作装置。
【請求項５】
上記駆動ユニットは、上記回転巻取機構の回転の軸が、上記回転軸とは別軸に構成されている請求項３又は４に記載の操作装置。
【請求項６】
上記駆動ユニットは、
上記回転巻取機構、上記回転方向変換機構及び上記規制機構に組み込まれる回転巻取部材であって、上記回転巻取部材は、上記回転軸の回転方向が正回転方向である場合、上記回転軸の回転方向が逆回転方向である場合のうちいずれか一方の場合において、上記回転軸と連動して回転するように上記回転軸に取付けられ、且つ自身の外周に沿うように上記連結部材を取付ける取付部と、上記回転軸より外側において自身を回転させる力を受けることができる受動部とを備え、自身の回転方向に沿って上記連結部材を巻き上げる回転巻取部材と、
上記回転方向変換機構に組み込まれる第二回転歯車部材であって、上記第二回転歯車部材は、上記回転軸の回転方向が正回転方向である場合、上記回転軸の回転方向が逆回転方向である場合のうちいずれか他方の場合において、上記回転軸と連動して回転するように上記回転軸に取付けられ、且つ外歯が形成された第二歯車部を備える第二回転歯車部材と、
上記回転方向変換機構に組み込まれる第三回転歯車部材であって、上記第三回転歯車部材は、外歯が形成された第三歯車部と、第三歯車部と連動して回転するように形成され且つ上記第三歯車部から軸方向にずれた位置に外歯が形成された第四歯車部と、を備え、この第三歯車部が上記第二歯車部と係合し、第三歯車部及び第四歯車部は第三回転歯車部材軸を中心として回転する第三回転歯車部材と、
上記回転方向変換機構に組み込まれる第五回転歯車部材であって、上記第五回転歯車部材は、外歯が形成された第五歯車部を備え、この第五歯車部が上記第四歯車部と係合し、第五回転歯車部材軸を中心として回転する第五回転歯車部材と、
上記回転方向変換機構及び上記規制機構に組み込まれる回転当接部材であって、上記回転当接部材は、上記回転軸の回転とは独立して回転するように配置され、自身の回転方向と同じ方向に上記回転巻取部材を回転させるように、上記回転巻取部材の上記受動部と当接する第１当接部と、上記第五歯車部と係合する外歯が形成された当接部材歯車部とを備え、上記回転軸を中心として回転する回転当接部材と、を有する請求項１記載の操作装置。
【請求項７】
上記駆動ユニットは、
さらに、上記規制機構に組み込まれるケース部材を有し、上記ケース部材には、ストッパー部が設けられ、
上記回転巻取部材は、自身が第１の回転角度まで回転するとき上記ストッパー部と当接する第１規制部を備え、上記第１規制部が上記ストッパー部と当接することにより、自身の回転方向に沿って上記連結部材を巻き上げる回転範囲が第１の回転範囲に規制され、
上記回転当接部材は、自身が上記第１の回転角度よりも小さい第２の回転角度まで回転するとき上記ストッパー部と当接する第２規制部を備え、上記第２規制部が上記ストッパー部と当接することにより、上記回転巻取部材を回転させる回転範囲が上記第１の回転範囲よりも小さい第２の回転範囲に規制される、請求項２又は６に記載の操作装置。
【請求項８】
上記駆動ユニットは、さらに、上記回転軸の回転角度に対して、上記回転巻取機構の回転角度を増加させる増速機構を有する請求項６又は７に記載の操作装置。
【請求項９】
上記駆動ユニットは、さらに、上記回転軸の回転角度に対して、上記回転巻取機構の回転角度を減少させる減速機構を有する請求項６又は７に記載の操作装置。
【請求項１０】
上記駆動ユニットは、上記回転巻取機構の回転の軸が、上記回転軸と同軸に構成されている請求項８又は９に記載の操作装置。
【請求項１１】
上記駆動ユニットは、さらに、上記回転巻取機構を所定の待機位置に復帰させるばね機構を有する請求項１乃至１０の何れか１項に記載の操作装置。
【請求項１２】
請求項１乃至１１の何れか１項に記載の操作装置を備えたことを特徴とする洗浄水タンク装置。
【請求項１３】
上記請求項１２記載の洗浄水タンク装置を備えたことを特徴とする水洗大便器。
【発明の詳細な説明】
【技術分野】
【０００１】
本発明は、操作装置に係り、特に、洗浄水タンク内に配置された排水弁を作動させ便器へ洗浄水の供給を開始させる洗浄水タンク装置の操作装置に関する。
【背景技術】
【０００２】
従来から、使用者がタンクに取り付けられた操作レバーを操作することによりワイヤが連動し、タンクの排水弁を開閉させる水洗式便器が知られている。
従来の操作装置は、特許文献１に示すように、図４１及び４２に示すような複数のリンクからなるリンク機構で構成されており、タンクの排水のためのハンドトグル１２０１が回転されると、伝動ロッド１２０２が回転され、伝動ロッド１２０２に接続された回転ディスク１２０４が回転される。回転ディスク１２０４が回転されると、連接ロッド１２０６が上方に引き上げられ、案内ブロック１２０８がケーシング１２０９、１２１１内のガイドレール上でガイドされて鉛直上方向きに引き上げられ、案内ブロック１２０８により伝動ロープ１２１０が弁体開放機構を引き動かして排水を制御するものが知られている。このような特許文献１においては、複数のリンク（回転ディスク１２０４、連接ロッド１２０６、案内ブロック１２０８）からなるリンク機構によってワイヤー部材（伝動ロープ１２１０）を、直上向きに引き上げることにより、ワイヤー部材が弁体開放機構を開閉するのに必要な距離まで移動させている。
【先行技術文献】
【特許文献】
【０００３】
【特許文献１】中国実用新案２６４１１５６号公報
【発明の概要】
【発明が解決しようとする課題】
【０００４】
しかしながら、このような操作レバー付きの操作装置は、リンク機構によってワイヤーを上向きに直線的に引き上げるため、直線的なリンク機構の引き上げ距離をカバーする比較的大きな装置構造を必要とし、ローシルエットタンク等には設置することができない問題がある。そこで、本発明の発明者は、操作装置をよりコンパクトに構成するために、操作装置の内部に配置される回転機構を用いて、比較的小さな装置構造によりワイヤを引き上げる操作装置の研究を行っている。
しかしながら、回転機構を用いてワイヤを引き上げる場合には、大洗浄と小洗浄とを切替えるために、使用者自らが、そのワイヤーの引き上げ量を大洗浄又は小洗浄に応じた操作部の回転量により調整する必要があり、その調整は非常に困難なものであった。
【０００５】
また、大洗浄と小洗浄とを切替えるために、使用者が操作部を逆の回転方向に回転させることにより切り替える手段を採用しようとすると、ワイヤを引き上げる回転機構を大洗浄又は小洗浄に応じて逆の回転方向に回転させることとなり、回転機構が回転されていた方向と逆の回転方向まで戻る問題や、回転機構が戻る待機位置からずれる問題等があり、回転機構の回転量（動作量）を安定させることが難しく、回転機構の回転量が規定の回転量からばらつき易いという問題が生じてしまう。従って、弁体を引き上げるワイヤーの引き上げ量のばらつきが生じ、便器を洗浄する洗浄水量がばらついてしまうという問題がある。
【０００６】
そこで、本発明は、上述した従来技術の問題点と課題を解決するためになされたものであり、使用者が正回転、またはその逆回転の回転操作を選択することにより大洗浄、または小洗浄を選択することができる操作部を操作するとき、回転方向変換機構が、回転巻取機構の回転方向が同じ所定の回転方向となるように回転巻取機構に伝達される回転方向を変換することができ、回転巻取機構が自身の回転方向に沿って排水弁との連結部材を巻き上げる巻き上げ量のばらつきを抑制することができ、排水弁を適切に作動させ、適切な洗浄水量により便器を洗浄させることができる操作装置を提供することを目的としている。
【課題を解決するための手段】
【０００７】
上記の目的を達成するために、本発明は、洗浄水タンク内に配置された排水弁を作動させ便器へ洗浄水の供給を開始させる洗浄水タンク装置の操作装置であって、使用者が正回転、またはその逆回転の回転操作を選択することにより大洗浄、または小洗浄を選択することができる操作部と、この操作部の回転操作により正回転方向またはその逆回転方向に回転する回転軸と、排水弁と連結され、自身の移動量に応じて便器へ供給される洗浄水量を、大洗浄量または小洗浄量に切り替えるように排水弁を開閉させる連結部材と、回転軸の回転動作を受けて連結部材を引き上げる駆動ユニットと、を有し、駆動ユニットは、回転軸の回転半径より大きな回転半径を有し、自身の回転方向に沿って連結部材を巻き上げる回転巻取機構と、回転軸の回転方向が正回転方向である場合、回転軸の回転方向が逆回転方向である場合のいずれの場合にも、回転巻取機構の回転方向が同じ所定の回転方向となるように回転軸から回転巻取機構に伝達される回転方向を変換する回転方向変換機構と、回転軸の回転方向が正回転方向である場合、回転軸の回転方向が逆回転方向である場合のうちいずれか一方の場合における回転巻取機構の回転角度が、いずれか他方の場合における回転巻取機構の回転角度よりも小さくなるように、回転巻取機構の回転角度を規制する規制機構と、を有することを特徴としている。
このように構成された本発明においては、使用者が正回転、またはその逆回転の回転操作を選択することにより大洗浄、または小洗浄を選択することができる操作部を操作し、回転軸の回転方向が正回転方向である場合、回転軸の回転方向が逆回転方向である場合のいずれの場合にも、回転方向変換機構が、回転巻取機構の回転方向が同じ所定の回転方向となるように回転軸から回転巻取機構に伝達される回転方向を変換することができる。
従って、回転巻取機構が自身の回転方向に沿って連結部材を巻き上げる巻き上げ量のばらつきを抑制することができ、排水弁を適切に作動させ、適切な洗浄水量により便器を洗浄させることができる。
また、使用者が操作部を正回転、またはその逆回転の回転操作を選択して操作するだけで、規制機構が、回転軸の回転方向が正回転方向である場合、上記回転軸の回転方向が逆回転方向である場合のうちいずれか一方の場合における上記回転巻取機構の回転角度が、いずれか他方の場合における上記回転巻取機構の回転角度よりも小さくなるように、上記回転巻取機構の回転角度を規制することができる。よって、回転巻取機構が自身の回転方向に沿って連結部材を巻き上げる量を適切に変更することができる。従って、使用者が操作部の正回転またはその逆回転の回転操作を選択するだけで、簡単に大洗浄、または小洗浄を選択して、排水弁を適切に作動させ、適切な洗浄水量により便器を洗浄させることができ、使用者の使い勝手を向上させることができる。
【０００８】
本発明において、好ましくは、駆動ユニットは、回転方向変換機構に組み込まれる第一回転歯車部材であって、第一回転歯車部材は、回転軸の回転方向が正回転方向である場合、回転軸の回転方向が逆回転方向である場合のうちいずれか一方の場合において、回転軸と連動して回転するように回転軸に取付けられ、且つ外歯が形成された第一歯車部を備える、第一回転歯車部材と、回転巻取機構、回転方向変換機構及び規制機構に組み込まれる回転巻取部材であって、回転巻取部材は、第一歯車部と係合するように外周の一部に外歯が形成され、巻取部材軸を中心として回転する巻取部材歯車部と、自身の外周に沿うように連結部材を取付ける取付部と、巻取部材軸より外側において自身を回転させる力を受けることができる受動部とを備え、自身の回転方向に沿って連結部材を巻き上げる回転巻取部材と、回転方向変換機構に組み込まれる第二回転歯車部材であって、第二回転歯車部材は、回転軸の回転方向が正回転方向である場合、回転軸の回転方向が逆回転方向である場合のうちいずれか他方の場合において、回転軸と連動して回転するように回転軸に取付けられ、且つ外歯が形成された第二歯車部を備える、第二回転歯車部材と、回転方向変換機構に組み込まれる第三回転歯車部材であって、第三回転歯車部材は、外歯が形成された第三歯車部を備え、この第三歯車部が上記第二歯車部と係合し、第三回転歯車部材軸を中心として回転する、第三回転歯車部材と、回転巻取機構、回転方向変換機構及び規制機構に組み込まれる回転当接部材であって、回転当接部材は、自身の回転方向と同じ方向に回転巻取部材を回転させるように、回転巻取部材の上記受動部と当接する第１当接部と、第三歯車部と係合する外歯が形成された当接部材歯車部とを備え、巻取部材軸を中心として回転する、回転当接部材と、を有するを備えている。
このように構成された本発明においては、使用者が正回転、またはその逆回転の回転操作を選択することにより大洗浄、または小洗浄を選択することができる操作部を操作し、回転軸の回転方向が正回転方向である場合、回転軸の回転方向が逆回転方向である場合のいずれの場合にも、駆動ユニットの回転方向変換機構が、回転巻取部材の回転方向が同じ所定の回転方向となるように回転軸から回転巻取部材に伝達される回転方向を変換することができる。
すなわち、回転軸の回転方向が正回転方向である場合、回転軸の回転方向が逆回転方向である場合のうちいずれか一方の場合においては、第一回転歯車部材は、回転軸と連動して同じ方向に回転する。第一回転歯車部材の第一歯車部は、巻取部材歯車部と係合し、回転巻取部材は、回転軸の回転方向と逆の方向に回転する。このようにして、回転巻取部材は、回転軸の回転方向と逆の方向の回転により連結部材を巻き上げることができる。
一方、上記回転軸の回転方向が正回転方向である場合、上記回転軸の回転方向が逆回転方向である場合のうちいずれか他方の場合においては、第二回転歯車部材が、回転軸と連動して同じ方向に回転する。第二回転歯車部材の第二歯車部は、第三回転歯車部材の第三歯車部と係合しながら回転し、第三回転歯車部材は、第二回転歯車部材の回転方向と逆の方向に回転する。さらに、第三回転歯車部材の第三歯車部は、回転当接部材の当接部材歯車部と係合しながら回転し、回転当接部材は、第三回転歯車部材の回転方向と逆の方向に回転する。回転当接部材の第１当接部は、回転巻取部材の受動部と係合し、回転当接部材の回転方向と同じ方向に回転巻取部材を回転させる。よって、回転巻取部材は、回転軸の回転方向と同じ回転方向に回転する。このようにして、回転巻取部材は、回転軸の回転方向と同じ回転方向の回転により連結部材を巻き上げることができる。
従って、回転軸の回転方向が正回転方向である場合、回転軸の回転方向が逆回転方向である場合のいずれの場合にも、回転方向変換機構が、回転巻取部材の回転方向が同じ所定の回転方向となるように回転軸から回転巻取部材に伝達される回転方向を変換することができ、比較的簡易な構造により、回転巻取部材の回転方向を同一にすることができる。
従って、使用者が操作部を正回転、またはその逆回転のいずれの方向に操作した場合にも、回転巻取部材が自身の回転方向に沿って適切に連結部材を巻き上げることができ、排水弁を適切に作動させることができる。
【０００９】
本発明において、好ましくは、駆動ユニットは、回転巻取機構、回転方向変換機構及び規制機構に組み込まれる回転巻取部材であって、回転巻取部材は、回転軸の回転方向が正回転方向である場合、回転軸の回転方向が逆回転方向である場合のうちいずれか一方の場合において、回転軸と連動して回転するように回転軸に取付けられ、且つ自身の外周に沿うように連結部材を取付ける取付部と、回転軸より外側において自身を回転させる力を受けることができる受動部とを備え、自身の回転方向に沿って連結部材を巻き上げる回転巻取部材と、回転方向変換機構に組み込まれる第二回転歯車部材であって、第二回転歯車部材は、回転軸の回転方向が正回転方向である場合、回転軸の回転方向が逆回転方向である場合のうちいずれか他方の場合において、回転軸と連動して回転するように回転軸に取付けられ、且つ外歯が形成された第二歯車部を備える第二回転歯車部材と、回転方向変換機構に組み込まれる第三回転歯車部材であって、第三回転歯車部材は、外歯が形成された第三歯車部と、第三歯車部と連動して回転するように形成され且つ第三歯車部から軸方向にずれた位置に外歯が形成された第四歯車部と、を備え、この第三歯車部が第二歯車部と係合し、第三歯車部及び第四歯車部は第三回転歯車部材軸を中心として回転する第三回転歯車部材と、回転方向変換機構に組み込まれる第五回転歯車部材であって、第五回転歯車部材は、外歯が形成された第五歯車部を備え、この第五歯車部が第四歯車部と係合し、第五回転歯車部材軸を中心として回転する第五回転歯車部材と、回転方向変換機構及び規制機構に組み込まれる回転当接部材であって、回転当接部材は、回転軸の回転とは独立して回転するように配置され、自身の回転方向と同じ方向に回転巻取部材を回転させるように、回転巻取部材の受動部と当接する第１当接部と、第五歯車部と係合する外歯が形成された当接部材歯車部とを備え、回転軸を中心として回転する回転当接部材と、を有するとする。
このように構成された本発明においては、使用者が正回転、またはその逆回転の回転操作を選択することにより大洗浄、または小洗浄を選択することができる操作部を操作し、回転軸の回転方向が正回転方向である場合、回転軸の回転方向が逆回転方向である場合のいずれの場合にも、駆動ユニットの回転方向変換機構が、回転巻取部材の回転方向が同じ所定の回転方向となるように回転軸から回転巻取部材に伝達される回転方向を変換することができる。
すなわち、上記回転軸の回転方向が正回転方向である場合、上記回転軸の回転方向が逆回転方向である場合のうちいずれか一方の場合においては、回転巻取部材は、回転軸と連動して回転軸の回転方向と同じ方向に回転する。よって、回転巻取部材は、回転軸の回転方向と同じ方向の回転により連結部材を巻き上げることができる。
一方、上記回転軸の回転方向が正回転方向である場合、上記回転軸の回転方向が逆回転方向である場合のうちいずれか他方の場合においては、第二回転歯車部材が、回転軸と連動して同じ方向に回転する。第二回転歯車部材の第二歯車部は、第三回転歯車部材の第三歯車部と係合しながら回転し、第三回転歯車部材は、第二回転歯車部材の回転方向と逆の方向に回転する。第三歯車部と第四歯車部とはともに連動して同じ方向に回転する。さらに、第三回転歯車部材の第四歯車部は、第五回転歯車部材の第五歯車部と係合しながら回転し、第五回転歯車部材は、第三回転歯車部材の回転方向と逆の方向に回転する。次に、第五回転歯車部材の第五歯車部は、回転当接部材の当接部材歯車部と係合しながら回転し、回転当接部材は、上記回転軸の回転とは独立して、第五回転歯車部材の回転方向と逆の方向に回転する。回転当接部材の第１当接部は、回転巻取部材の受動部と係合し、回転当接部材の回転方向と同じ方向に回転巻取部材を回転させる。よって、回転巻取部材は、回転軸の回転方向と逆の回転方向に回転する。このようにして、回転巻取部材は、回転軸の回転方向と逆の回転方向の回転により連結部材を巻き上げることができる。
従って、回転軸の回転方向が正回転方向である場合、回転軸の回転方向が逆回転方向である場合のいずれの場合にも、回転方向変換機構が、回転巻取部材の回転方向が同じ所定の回転方向となるように回転軸から回転巻取部材に伝達される回転方向を変換することができ、比較的簡易な構造により、回転巻取部材の回転方向を同一にすることができる。
従って、使用者が操作部を正回転、またはその逆回転のいずれの方向に操作した場合にも、回転巻取部材が自身の回転方向に沿って適切に連結部材を巻き上げることができ、排水弁を適切に作動させることができる。
【００１０】
本発明において、好ましくは、駆動ユニットは、さらに、規制機構に組み込まれるケース部材を有し、ケース部材には、ストッパー部が設けられ、回転巻取部材は、自身が第１の回転角度まで回転するときストッパー部と当接する第１規制部を備え、第１規制部が上記ストッパー部と当接することにより、自身の回転方向に沿って連結部材を巻き上げる回転範囲が第１の回転範囲に規制され、回転当接部材は、自身が第１の回転角度よりも小さい第２の回転角度まで回転するときストッパー部と当接する第２規制部を備え、第２規制部が上記ストッパー部と当接することにより、回転巻取部材を回転させる回転範囲が第１の回転範囲よりも小さい第２の回転範囲に規制される。
このように構成された本発明においては、回転軸の回転方向が正回転方向である場合、回転軸の回転方向が逆回転方向である場合のうちいずれか一方の場合においては、第一回転歯車部材が、回転軸と連動して回転する。第一回転歯車部材の第一歯車部は、巻取部材歯車部と係合し、回転巻取部材が回転する。回転巻取部材が第１の回転角度まで回転するとき、巻取機構当接部がケース部材のストッパー部と当接し、回転巻取部材が連結部材を巻き上げる回転範囲が第１の回転範囲に規制される。
また、回転軸の回転方向が正回転方向である場合、回転軸の回転方向が逆回転方向である場合のうちいずれか他方の場合においては、第二回転歯車部材が、回転軸と連動して回転する。第二回転歯車部材の第二歯車部は、第三回転歯車部材の第三歯車部と係合しながら回転し、第三回転歯車部材が回転する。さらに、第三回転歯車部材の第三歯車部は、回転当接部材の当接部材歯車部と係合しながら回転し、回転当接部材が回転する。このとき、回転当接部材の第１当接部は、回転巻取部材の受動部と係合し、回転当接部材の回転方向と同じ方向に回転巻取部材を連動して回転させる。回転当接部材及び回転巻取部材が第２の回転角度まで回転するとき、回転当接部材の第２当接部がケース部材のストッパー部と当接し、回転巻取部材が連結部材を巻き上げる回転範囲が第１の回転範囲よりも小さい第２の回転範囲に規制される。
従って、使用者が操作部を正回転、またはその逆回転の回転操作を選択して操作するだけで、回転軸の回転方向が正回転方向である場合、上記回転軸の回転方向が逆回転方向である場合のうちいずれか一方の場合における回転巻取部材の回転角度に対して、回転軸の回転方向が正回転方向である場合、上記回転軸の回転方向が逆回転方向である場合のうちいずれか他方の場合における回転巻取部材の回転角度が小さくなるように、駆動ユニットの規制機構が、回転巻取部材の回転範囲を規制することができる。よって、回転巻取部材が自身の回転方向に沿って連結部材を巻き上げる量を適切に変更することができる。従って、使用者が操作部の正回転またはその逆回転の回転操作を選択するだけで、簡単に大洗浄、または小洗浄を選択することができ、使用者の使い勝手が向上する。
【００１１】
本発明において、好ましくは、駆動ユニットは、さらに、回転軸の回転角度に対して、上記回転巻取機構の回転角度を増加させる増速機構を有する。
このように構成された本発明においては、回転巻取機構を所定の回転角度まで回転させるために必要な回転軸の回転角度を低減させることができ、この回転軸を回転させる操作部の回転角度を低減することができる。したがって、使用者が操作部を大きく回転させる必要がなくなるので、使用者の使い勝手を向上させることができる。
【００１２】
本発明において、好ましくは、駆動ユニットは、さらに、回転軸の回転角度に対して、回転巻取機構の回転角度を減少させる減速機構を有する。
このように構成された本発明においては、回転巻取機構を所定の回転角度まで回転させるために必要な回転軸の回転に必要な操作力を低減させることができ、操作部の回転操作に必要な操作力を低減することができる。したがって、使用者が操作部を比較的小さな操作力で回転させることができるので、使用者が操作部を容易に操作することができる。
【００１３】
本発明において、好ましくは、駆動ユニットは、さらに、回転巻取機構を所定の待機位置に復帰させるばね機構を有する。
このように構成された本発明においては、ばね機構が使用者の回転操作後に回転巻取機構を所定の待機位置に復帰させるため、排水弁を開弁したままの状態になることがない。また、回転巻取機構の回転方向が同じ所定の回転方向となる回転方向変換機構と合わせて用いられることにより、ばね機構が回転巻取機構を所定の待機位置に比較的精確に復帰させることができる。よって、次回の使用者の回転操作時に、適切に洗浄動作を行うことができる。
【００１４】
本発明において、好ましくは、駆動ユニットは、回転巻取機構の回転の軸が、回転軸とは別軸に構成されている。
このように構成された本発明においては、操作部を正回転、またはその逆回転のいずれの回転方向に回転させた場合も、増速機構又は減速機構のいずれかの機構を備えることができ、使用者の使い勝手が向上する。
【００１５】
本発明において、好ましくは、駆動ユニットは、回転巻取機構の回転の軸が、回転軸と同軸に構成されている。
このように構成された本発明においては、回転巻取機構の回転の軸が回転軸と同軸に構成されているので、駆動ユニット全体をコンパクトに構成することができる。
【００１６】
つぎに、本発明は、上記操作装置を備えた洗浄水タンク装置である。
このように構成された本発明においては、安定した動作が可能となる操作装置を備えた洗浄水タンク装置を提供することができる。
【００１７】
つぎに、本発明は、上記洗浄水タンク装置を備えた水洗大便器である。
このように構成された本発明においては、安定した動作が可能となる操作装置を備えた水洗大便器を提供することができる。
【発明の効果】
【００１８】
本発明の操作装置によれば、使用者が正回転、またはその逆回転の回転操作を選択することにより大洗浄、または小洗浄を選択することができる操作部を操作するとき、回転方向変換機構が、回転巻取機構の回転方向が同じ所定の回転方向となるように回転軸から回転巻取機構に伝達される回転方向を変換することができ、回転巻取機構が自身の回転方向に沿って連結部材を巻き上げる巻き上げ量のばらつきを抑制することができ、排水弁を適切に作動させ、適切な洗浄水量により便器を洗浄させることができる操作装置を提供することができる。
【図面の簡単な説明】
【００１９】
【図１】本発明の第１実施形態による操作装置を備えた洗浄水タンク装置が適用された水洗大便器において、便座及び便蓋を取り外した状態を示す斜視図である。
【図２】本発明の第１実施形態による操作装置を備えた洗浄水タンク装置の内部構造を前方斜め上方から見た斜視図である。
【図３】図２の排水弁装置の中央断面図であり、本発明の第１実施形態による排水弁装置の小洗浄モード及び大洗浄モードにおける排水開始前の状態を示している。
【図４】本発明の第１実施形態による操作装置を示す分解斜視図である。
【図５】本発明の第１実施形態による操作装置において、カバー蓋を取り外した状態を示す斜視図である。
【図６】本発明の第１実施形態による操作装置を上方から見た側面図である。
【図７】本発明の第１実施形態による操作装置において、カバー蓋を取り外した状態を示す平面図である。
【図８】本発明の第１実施形態による操作装置において、カバー蓋を取り外した状態で駆動ユニットの内部構造を下方から見た斜視図ある。
【図９】図９（ａ）は、本発明の第１実施形態による操作装置の回転軸の側面図である。図９（ｂ）は、本発明の第１実施形態による操作装置の回転軸を軸方向から見た正面図である。
【図１０】図１０（ａ）は、発明の第１実施形態による操作装置の第一回転歯車部材の斜視図である。図１０（ｂ）は、本発明の第１実施形態による操作装置の第一回転歯車部材を軸方向から見た正面図である。
【図１１】図１１（ａ）は、本発明の第１実施形態による操作装置の回転巻取部材を軸方向から見た正面図である。図１１（ｂ）は、本発明の第１実施形態による操作装置の回転巻取部材の斜視図である。
【図１２】図１２（ａ）は、本発明の第１実施形態による操作装置の第二回転歯車部材の斜視図である。図１２（ｂ）は、本発明の第１実施形態による操作装置の第二回転歯車部材を軸方向から見た正面図である。
【図１３】本発明の第１実施形態による操作装置の第三回転歯車部材の正面図である。
【図１４】図１４（ａ）は、本発明の第１実施形態による操作装置の回転当接部材の斜視図である。図１４（ｂ）は、本発明の第１実施形態による操作装置の回転当接部材を軸方向から見た正面図である。図１４（ｃ）は、本発明の第１実施形態による操作装置の回転当接部材の側面図である。
【図１５】図１５（ａ）は、本発明の第１実施形態による操作装置において、カバー蓋を取り外した状態で、操作ハンドルが回転操作される前の待機状態の駆動ユニットの内部構造を示す正面図である。図１５（ｂ）は、本発明の第１実施形態による操作装置において、カバー蓋を取り外した状態で、操作ハンドルが大洗浄動作を行うように正回転操作されて、回転巻取部材が第１の回転角度まで回転された状態の駆動ユニットの内部構造を示す正面図である。
【図１６】図１６（ａ）は、本発明の第１実施形態による操作装置において、操作ハンドルが回転操作される前の待機状態の駆動ユニットの内部構造を示す、図６のＡ−Ａ線に沿った断面図である。図１６（ｂ）は、本発明の第１実施形態による操作装置において、操作ハンドルが大洗浄動作を行うように正回転操作されて、回転巻取部材が第１の回転角度まで回転された状態の駆動ユニットの内部構造を示す、図６のＡ−Ａ線に沿った断面図である。
【図１７】図１７（ａ）は、本発明の第１実施形態による操作装置において、操作ハンドルが回転操作される前の待機状態の駆動ユニットの内部構造を示す、図６のＢ−Ｂ線に沿った断面図である。図１７（ｂ）は、本発明の第１実施形態による操作装置において、操作ハンドルが大洗浄動作を行うように正回転操作されて、回転巻取部材が第１の回転角度まで回転された状態の駆動ユニットの内部構造を示す、図６のＢ−Ｂ線に沿った断面図である。
【図１８】図１８（ａ）は、本発明の第１実施形態による操作装置において、操作ハンドルが回転操作される前の待機状態の駆動ユニットの内部構造を示す、図６のＣ−Ｃ線に沿った断面図である。図１８（ｂ）は、本発明の第１実施形態による操作装置において、操作ハンドルが大洗浄動作を行うように正回転操作されて、回転巻取部材が第１の回転角度まで回転された状態の駆動ユニットの内部構造を示す、図６のＣ−Ｃ線に沿った断面図である。
【図１９】図１９（ａ）は、本発明の第１実施形態による操作装置において、カバー蓋を取り外した状態で、操作ハンドルが回転操作される前の待機状態の駆動ユニットの内部構造を示す正面図である。図１９（ｂ）は、本発明の第１実施形態による操作装置において、カバー蓋を取り外した状態で、操作ハンドルが小洗浄動作を行うように正回転操作されて、回転巻取部材が第２の回転角度まで回転された状態の駆動ユニットの内部構造を示す正面図である。
【図２０】図２０（ａ）は、本発明の第１実施形態による操作装置において、操作ハンドルが回転操作される前の待機状態の駆動ユニットの内部構造を示す、図６のＡ−Ａ線に沿った断面図である。図２０（ｂ）は、本発明の第１実施形態による操作装置において、操作ハンドルが小洗浄動作を行うように逆回転操作されて、回転巻取部材が第２の回転角度まで回転された状態の駆動ユニットの内部構造を示す、図６のＡ−Ａ線に沿った断面図である。
【図２１】図２１（ａ）は、本発明の第１実施形態による操作装置において、操作ハンドルが回転操作される前の待機状態の駆動ユニットの内部構造を示す、図６のＢ−Ｂ線に沿った断面図である。図２１（ｂ）は、本発明の第１実施形態による操作装置において、操作ハンドルが小洗浄動作を行うように逆回転操作されて、回転巻取部材が第２の回転角度まで回転された状態の駆動ユニットの内部構造を示す、図６のＢ−Ｂ線に沿った断面図である。
【図２２】図２２（ａ）は、本発明の第１実施形態による操作装置において、操作ハンドルが回転操作される前の待機状態の駆動ユニットの内部構造を示す、図６のＣ−Ｃ線に沿った断面図である。図２２（ｂ）は、本発明の第１実施形態による操作装置において、操作ハンドルが小洗浄動作を行うように逆回転操作されて、回転巻取部材が第２の回転角度まで回転された状態の駆動ユニットの内部構造を示す、図６のＣ−Ｃ線に沿った断面図である。
【図２３】本発明の第２実施形態による操作装置を示す分解斜視図である。
【図２４】本発明の第２実施形態による操作装置において、カバー蓋を取り外し、駆動ユニットの内部構造を、駆動ユニットの第二回転歯車部材、第三回転歯車部材、第五回転歯車部材及び回転当接部材における外歯に形成された歯車を簡略化した表示方法により図示している斜視図である。
【図２５】本発明の第２実施形態による操作装置において、カバー蓋を取り外し、駆動ユニットの内部構造を、駆動ユニットの第二回転歯車部材、第三回転歯車部材、第五回転歯車部材及び回転当接部材における外歯に形成された歯車を簡略化した表示方法により図示し、上方から見た側面図である。
【図２６】本発明の第２実施形態による操作装置において、駆動ユニットにおける第二回転歯車部材、第三回転歯車部材、第五回転歯車部材、回転当接部材及び回転巻取部材の位置関係を示す概略図である。
【図２７】図２７（ａ）は、本発明の第２実施形態による操作装置の回転軸の斜視図である。図２７（ｂ）は、本発明の第２実施形態による操作装置の回転軸を貯水タンク内側から軸方向に沿って見た正面図である。
【図２８】図２８（ａ）は、本発明の第２実施形態による操作装置の回転巻取部材の斜視図である。図２８（ｂ）は、本発明の第２実施形態による操作装置の回転巻取部材を貯水タンク内側から軸方向に沿って見た正面図である。
【図２９】図２９（ａ）は、本発明の第２実施形態による操作装置の第二回転歯車部材の斜視図である。図２９（ｂ）は、本発明の第２実施形態による操作装置の第二回転歯車部材を貯水タンク外側から軸方向に沿って見た正面図である。
【図３０】図３０（ａ）は、本発明の第２実施形態による操作装置の第三回転歯車部材の斜視図である。図３０（ｂ）は、本発明の第２実施形態による操作装置の第三回転歯車部材を貯水タンク内側から軸方向に沿って見た正面図である。
【図３１】本発明の第２実施形態による操作装置の第五回転歯車部材の正面図である。
【図３２】図３２（ａ）は、本発明の第２実施形態による操作装置の第五回転歯車部材の斜視図である。図３２（ｂ）は、本発明の第２実施形態による操作装置の第五回転歯車部材を貯水タンク外側から軸方向に沿って見た正面図である。
【図３３】図３３（ａ）は、本発明の第２実施形態による操作装置において、カバー蓋を取り外した状態で、操作ハンドルが回転操作される前の待機状態の駆動ユニットの内部構造を示す正面図である。図３３（ｂ）は、本発明の第２実施形態による操作装置において、カバー蓋を取り外した状態で、操作ハンドルが大洗浄動作を行うように正回転操作されて、回転巻取部材が第１の回転角度まで回転された状態の駆動ユニットの内部構造を示す正面図である。
【図３４】図３４（ａ）は、本発明の第２実施形態による操作装置において、操作ハンドルが回転操作される前の待機状態の駆動ユニットの内部構造を示す、図２５のＤ−Ｄ線に沿った断面図である。図３４（ｂ）は、本発明の第２実施形態による操作装置において、操作ハンドルが大洗浄動作を行うように正回転操作されて、回転巻取部材が第１の回転角度まで回転された状態の駆動ユニットの内部構造を示す、図２５のＤ−Ｄ線に沿った断面図である。
【図３５】図３５（ａ）は、本発明の第２実施形態による操作装置において、操作ハンドルが回転操作される前の待機状態の駆動ユニットの内部構造を示す、図２５のＥ−Ｅ線に沿った断面図である。図３５（ｂ）は、本発明の第２実施形態による操作装置において、操作ハンドルが大洗浄動作を行うように正回転操作されて、回転巻取部材が第１の回転角度まで回転された状態の駆動ユニットの内部構造を示す、図２５のＥ−Ｅ線に沿った断面図である。
【図３６】図３６（ａ）は、本発明の第２実施形態による操作装置において、操作ハンドルが回転操作される前の待機状態の駆動ユニットの内部構造を示す、図２５のＦ−Ｆ線に沿った断面図である。図３６（ｂ）は、本発明の第１実施形態による操作装置において、操作ハンドルが大洗浄動作を行うように正回転操作されて、回転巻取部材が第１の回転角度まで回転された状態の駆動ユニットの内部構造を示す、図２５のＦ−Ｆ線に沿った断面図である。
【図３７】図３７（ａ）は、本発明の第２実施形態による操作装置において、カバー蓋を取り外した状態で、操作ハンドルが回転操作される前の待機状態の駆動ユニットの内部構造を示す正面図である。図３７（ｂ）は、本発明の第２実施形態による操作装置において、カバー蓋を取り外した状態で、操作ハンドルが小洗浄動作を行うように逆回転操作されて、回転巻取部材が第２の回転角度まで回転された状態の駆動ユニットの内部構造を示す正面図である。
【図３８】図３８（ａ）は、本発明の第２実施形態による操作装置において、操作ハンドルが回転操作される前の待機状態の駆動ユニットの内部構造を示す、図２５のＤ−Ｄ線に沿った断面図である。図３８（ｂ）は、本発明の第２実施形態による操作装置において、操作ハンドルが小洗浄動作を行うように逆回転操作されて、回転巻取部材が第２の回転角度まで回転された状態の駆動ユニットの内部構造を示す、図２５のＤ−Ｄ線に沿った断面図である。
【図３９】図３９（ａ）は、本発明の第２実施形態による操作装置において、操作ハンドルが回転操作される前の待機状態の駆動ユニットの内部構造を示す、図２５のＥ−Ｅ線に沿った断面図である。図３９（ｂ）は、本発明の第２実施形態による操作装置において、操作ハンドルが小洗浄動作を行うように逆回転操作されて、回転巻取部材が第２の回転角度まで回転された状態の駆動ユニットの内部構造を示す、図２５のＥ−Ｅ線に沿った断面図である。
【図４０】図４０（ａ）は、本発明の第１実施形態による操作装置において、操作ハンドルが回転操作される前の待機状態の駆動ユニットの内部構造を示す、図２５のＦ−Ｆ線に沿った断面図である。図４０（ｂ）は、本発明の第１実施形態による操作装置において、操作ハンドルが小洗浄動作を行うように逆回転操作されて、回転巻取部材が第２の回転角度まで回転された状態の駆動ユニットの内部構造を示す、図２５のＦ−Ｆ線に沿った断面図である。
【図４１】従来の水タンクの排水のための操作装置を示す分解斜視図である。
【図４２】従来の水タンクの排水のための操作装置を示す部分斜視図である。
【発明を実施するための形態】
【００２０】
つぎに、添付図面により、本発明の第１実施形態による操作装置について説明する。
まず、図１により、本発明の第１実施形態による操作装置を備えた洗浄水タンク装置が適用された水洗大便器について説明する。
図１は、本発明の第１実施形態による排水弁装置を備えた洗浄水タンク装置が適用された水洗大便器において、便座、便蓋及び洗浄水タンク装置の蓋体を取り外した状態を示す斜視図である。
【００２１】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通するトラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００２２】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００２３】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００２４】
つぎに、図２により、洗浄水タンク装置１６の内部構造について説明する。
図２は、本発明の第１実施形態による排水弁装置を備えた洗浄水タンク装置の内部構造を前方斜め上方から見た斜視図である。
図２に示すように、洗浄水タンク装置１６は、水洗大便器１を洗浄する洗浄水を貯水する貯水タンク１８を備え、この貯水タンク１８の底部１８ａには、便器本体２の導水路（図示せず）と連通する排水口２０が形成され、貯水タンク１８内の洗浄水が便器本体２の導水路（図示せず）へと供給されるようになっている。また、貯水タンク１８は、便器の種類に応じて、貯水する洗浄水の量が異なっている。また、貯水タンク１８は、例えば、ローシルエットタイプの貯水タンクである。
【００２５】
図２に示すように、洗浄水タンク装置１６の貯水タンク１８内には、この貯水タンク１８内に洗浄水を供給する給水装置２２と、貯水タンク１８に貯えられた洗浄水について排水口２０を開放して便器本体２の導水路（図示せず）に流出させる排水弁装置２４と、貯水タンク１８の外部に取り付けられた操作ハンドル２６を洗浄操作を実行させる方向に回動操作を行うことにより操作ハンドル２６に連結された操作ワイヤ２８が連動して排水弁装置２４の弁体５６（図３）を物理的に引き上げる操作装置３０と、が設けられている。
【００２６】
給水装置２２は、外部の給水源（図示せず）に接続され貯水タンク１８の底部から上方に延びる給水管３２と、この給水管３２の上端部に取り付けられ、給水管３２から給水される洗浄水の貯水タンク１８内への吐水と止水を切り替える給水バルブ３４と、貯水タンク１８内の水位の変動に応じて上下動して給水バルブ３４による吐水と止水を切り替えるフロート３６とを備えている。
【００２７】
給水管３２の外周側下端部には、吐水口３８が開口し、給水バルブ３４からの洗浄水がこの吐水口３８から貯水タンク１８内に吐水されるようになっている。
給水装置２２は、更に、給水バルブ３４に接続されたリフィール管４０を備え、このリフィール管４０の下流端部は、後述する排水弁装置２４のオーバーフロー管４２の上端開口の上方近傍に位置するように、リフィール管４０の一部がオーバーフロー管４２又は貯水タンク１８内の所定箇所に固定されている。
【００２８】
給水装置２２においては、後述する排水弁装置２４により、貯水タンク１８内の洗浄水が便器に排水されると、洗浄水の水位が低下してフロート３６が下降し、それにより給水バルブ３４が開き、吐水口３８からの吐水が開始し、洗浄水タンク装置１６の外部の給水源（図示せず）から貯水タンク１８内への吐水が開始されるようになっている。
さらに、吐水が継続されて貯水タンク１８内の水位が上昇すると、フロート３６が上昇し、それにより給水バルブ３４が閉じ、吐水口３８からの吐水が止水される。これにより、貯水タンク１８内の洗浄水の水位が満水時の所定水位に維持されるようになっている。
【００２９】
つぎに、図１〜図３を参照して、本発明の第１実施形態による操作装置に取り付けられるいわゆる直動式の排水弁装置２４について説明する。
図３は、図２の排水弁装置の中央断面図であり、本発明の第１実施形態による排水弁装置の小洗浄モード及び大洗浄モードにおける排水開始前の状態を示している。
【００３０】
排水弁装置２４は、図１乃至図３に示すように、貯水タンク１８の底面１８ａに取り付けられ且つ便器本体２の導水路４４に連通する排水口４６を形成する排水口ユニット４８と、この排水口ユニット４８の上端に取り付けられた排水弁ユニット５０を備えている。
【００３１】
排水弁装置２４の排水弁ユニット５０は、貯水タンク１８の底面１８ａの所定位置に取り付けられて排水口４６を形成する排水口形成部材５２を備えている。この排水口形成部材５２の下端部は、貯水タンク１８の底面１８ａに固定されている。また、排水口形成部材５２の外周の一部には、オーバーフロー管４２が取り付けられ、オーバーフロー管４２が排水口形成部材５２の内部の排水口４６と連通するようになっている。
【００３２】
さらに、排水口形成部材５２は、排水口４６の上縁に沿って全周に亘って形成された弁座５４を備え、この弁座５４と排水弁ユニット５０の弁体５６が当接することにより、排水口４６が閉鎖されるようになっている。また、排水口形成部材５２は、排水弁装置２４の外側の洗浄水を排水口４６へ流入させるための複数の連通口５８を形成している。
【００３３】
つぎに、図３に示すように、排水弁装置２４の排水弁ユニット５０は、弁体５６と、この弁体５６に下端部が取り付けられて上下方向に延びる樹脂製の主軸部材６０と、排水口ユニット４８の排水口形成部材５２の上端部６２に取り付けられて弁体５６の動きを制御する内側制御筒部材６４と、流量調整用の開口６４ａが形成された内側制御筒部材６４の側周壁部６４ｂの外側に取り付けられる遮蔽部材６６と、大洗浄モードにおける閉弁動作を開始させる樹脂製の大洗浄用フロート部材６８と、小洗浄モードにおける閉弁動作を開始させる樹脂製の小洗浄用フロート部材７０及び樹脂製のカム部材７２と、これらの部材７０，７２を支持する樹脂製の支持部材７４と、これらの部材６０〜７４を外側から取り囲む外側制御筒部材７６と、外側制御筒部材７６を上方から保持すると共に操作ワイヤ２８の上下動をガイドするガイド部材８０と、を備えている。
【００３４】
排水弁装置２４においては、操作ワイヤ２８が主軸部材６０の上端部６０ａに取り付けられて主軸部材６０の引き上げ操作による弁体５６の開弁操作を操作するようになっている。以下、操作ワイヤ２８による弁体５６の開弁操作について説明する。
図３に示すように、排水弁装置２４の大洗浄モードにおける開弁時の状態では、使用者が操作ハンドル２６を所定の大洗浄モードを実行する方向に回動操作すると、操作装置３０が作動し、操作ワイヤ２８が所定の最大量の巻き取り量で巻き取られ、排水弁ユニット５０の主軸部材６０及び弁体５６がそれぞれの最高高さ位置ｈ１まで引き上げられる。このとき、弁座５４に対する弁体５６の上昇高さ（ストローク）Ｈが小洗浄モード時の引き上げ高さＨ２よりも高い最大高さ（最大ストローク）Ｈ１となり（Ｈ１＞Ｈ２）、洗浄水タンク装置１６の排水弁装置２４による水洗大便器１の便器本体２への大洗浄モードの排水が開始される。
図３に示すように、排水弁装置２４の小洗浄モードにおける開弁時の状態では、使用者が操作ハンドル２６を所定の小洗浄モードを実行する方向に回動操作すると、操作装置３０が作動し、操作ワイヤ２８が大洗浄モードの場合の最大巻き取り量よりも少ない巻き取り量で巻き取られ、排水弁ユニット５０の主軸部材６０及び弁体５６がそれぞれの最高高さ位置よりも低い所定の高さ位置ｈ２まで引き上げられ、排水口４６が開放される。このとき、弁座５４に対する弁体５６の上昇高さ（ストローク）Ｈが、大洗浄モードの最大ストロークＨ１よりも低いＨ２となり、洗浄水タンク装置１６の排水弁装置２４による水洗大便器１の便器本体２への小洗浄モードの排水が開始される。
【００３５】
排水弁装置２４においては、上述の様に、弁体５６が大洗浄モード又は小洗浄モードの各々の引き上げ量に応じて引き上げられた後、所定の動作をしながら、主軸部材６０及び弁体５６が水位の低下と共にさらに下降し、図３に示すように、弁体５６が弁座５４に当接して、待機位置（開始位置）ｈ０に戻り、排水口４６が閉止された状態となり、排水弁装置２４の大洗浄モード又は小洗浄モードにおける排水が終了する。このときの洗浄水の満水水位をＷＬで示している。
【００３６】
つぎに、図４乃至図９を参照して、本発明の第１実施形態による操作装置の詳細について説明する。
図４は本発明の第１実施形態による操作装置を示す分解斜視図であり、図５は本発明の第１実施形態による操作装置において、カバー蓋を取り外した状態を示す斜視図であり、図６は本発明の第１実施形態による操作装置を上方から見た側面図であり、図７は本発明の第１実施形態による操作装置において、カバー蓋を取り外した状態を示す平面図であり、図８は本発明の第１実施形態による操作装置において、カバー蓋を取り外した状態で駆動ユニットの内部構造を下方から見た斜視図あり、図９（ａ）は本発明の第１実施形態による操作装置の回転軸の側面図であり、図９（ｂ）は本発明の第１実施形態による操作装置の回転軸を軸方向から見た正面図である。
【００３７】
本発明の第１実施形態による操作装置３０は、使用者によって２つの回転方向に操作される操作装置である。図４乃至図８に示すように、本発明の操作装置３０は、便器前方から見て貯水タンク１８の左側側面１８ａに配置され且つ使用者が正回転、またはその逆回転の回転操作を選択することにより大洗浄モード、または小洗浄モードのいずれかの洗浄モードを選択することができる操作ハンドル２６と、貯水タンク１８の外側に配置された操作ハンドル２６の回転を貯水タンク１８の内側まで伝達するように形成され、この操作ハンドル２６の回転操作により正回転方向またはその逆回転方向に回転される回転軸８２と、回転軸８２と操作ハンドル２６と駆動ユニット８４とを締結する止め輪８６と、駆動ユニット８４と排水弁装置２４とを連結し、自身の移動量に応じて弁体５６を物理的に移動させ、便器本体２へ供給される洗浄水量を、大洗浄水量または小洗浄水量に切り替えるように弁体５６を開閉させる操作ワイヤ２８と、貯水タンク１８の内側に配置され、回転軸８２及び操作ワイヤ２８に連結されて、回転軸８２の回転動作を受けて操作ワイヤ２８を引き上げる動作を行う駆動ユニット８４と、を有している。
【００３８】
操作ハンドル２６は、貯水タンク１８の左側側面１８ａに取付けられる左側操作ハンドルであり、貯水タンク１８の側面から鉛直方向下方に延び、使用者が手指等で手前側又は奥側に回転操作するための持ち手部分２６ａと、操作ハンドル２６の回転を支持する操作ハンドルガイド部２６ｂとを備えている。従って、使用者が持ち手部分２６ａを便器本体２の手前側に回転させるように引く操作、又は持ち手部分２６ａを便器本体２の奥側に回転させるように押す操作により、操作ハンドル２６が回転軸８２の正回転動作又はその逆回転動作を発生させるようになっている。なお、操作ハンドル２６は、貯水タンク１８の右側側面に取付けられる右側操作ハンドルであってもよい。
【００３９】
なお、本発明の変形例として、操作装置の回転軸が、モーター等の電動駆動装置に接続され、この電動駆動装置を制御部により駆動制御することにより、回転軸が正回転方向またはその逆回転方向に自在に回転されるように設けられていてもよい。
【００４０】
なお、本発明の第１実施形態においては、図７に示すように、使用者が操作ハンドル２６の持ち手部分２６ａを手前側に回転させる方向を正回転方向Ｄ０とし、使用者が操作ハンドル２６を正回転方向Ｄ０に回転させるとき大洗浄動作を行い、使用者が操作ハンドル２６の持ち手部分２６ａを奥側に回転させる方向を逆回転方向ｄ０とし、使用者が操作ハンドル２６を逆回転方向ｄ０に回転させるとき小洗浄動作を行うように設定している。この操作ハンドル２６の正回転方向及び逆回転方向は変更することが可能である。例えば、本発明は、使用者が操作ハンドル２６の持ち手部分２６ａを手前側に回転させる方向を正回転方向とし、使用者が操作ハンドル２６を正回転方向に回転させるとき小洗浄動作を行い、使用者が操作ハンドル２６の持ち手部分２６ａを奥側に回転させる方向を逆回転方向とし、使用者が操作ハンドル２６を逆回転方向に回転させるとき大洗浄動作を行うように設定してもよい。さらに、例えば、本発明は、使用者が操作ハンドル２６の持ち手部分２６ａを手前側に回転させる方向を逆回転方向とし、使用者が操作ハンドル２６を逆回転方向に回転させるとき小洗浄動作を行い、使用者が操作ハンドル２６の持ち手部分２６ａを奥側に回転させる方向を正回転方向とし、使用者が操作ハンドル２６を正回転方向に回転させるとき大洗浄動作を行うように設定してもよい。
【００４１】
回転軸８２は、貯水タンク１８の外側から内側まで貫通して延びるように形成され、貯水タンク１８の左右方向に水平に配置されている。回転軸８２は、貯水タンク１８の外部において操作ハンドル２６と嵌合され、貯水タンク１８の内部において駆動ユニット８４に接続され、駆動ユニット８４内部に延びている。
この回転軸８２は、その外周面上に台状に突出するように形成された第一掛かり部８８と、第一掛かり部８８よりも貯水タンク１８の内側方向の位置における外周面上に台状に突出するように形成された第二掛かり部９０と、を有している。
第一掛かり部８８は、回転軸８２が正回転する際に、突出した台状部分の正回転側側部８８ａが後述する第一内側突出部１００ｂと当接し、回転軸８２と第一回転歯車部材１００とが連動して回転するように形成されている。
第二掛かり部９０は、回転軸８２が逆回転する際に、突出した台状部分の逆回転側側部９０ａが後述する第二内側突出部１０６ｂと当接し、回転軸８２と第二回転歯車部材１０６とが連動して回転するように形成されている。
【００４２】
操作ワイヤ２８は、駆動ユニット８４内部から排水弁装置２４内部まで延びる可撓性のチューブ９２の中を通され、駆動ユニット８４内部に向けて開放されるチューブ９２の一端から駆動ユニット８４内部に延ばされている。操作ワイヤ２８は、チューブ９２内を摺動可能に配置されている。
【００４３】
先ず、図４乃至図９を参照して、本発明の第１実施形態による操作装置３０の駆動ユニット８４について概略的に説明する。
本発明の第１実施形態による操作装置３０の駆動ユニット８４は、図４に示すように、回転軸８２の回転半径より大きな回転半径を有し、共通の回転方向Ｄｃｏ、ｄｃｏに沿って操作ワイヤ２８を巻き上げる回転巻取機構９４と、回転軸８２の回転方向が正回転方向である場合、回転軸８２の回転方向が逆回転方向である場合のいずれの場合にも、回転巻取機構９４の回転方向Ｄｃｏ、ｄｃｏが同じ所定の回転方向となるように回転軸８２から回転巻取機構９４に伝達される回転方向を変換する回転方向変換機構９６と、回転軸８２の回転方向が正回転方向である場合、回転軸８２の回転方向が逆回転方向である場合のうちいずれか一方の場合における回転巻取機構９４の回転角度が、いずれか他方の場合における回転巻取機構９４の回転角度よりも小さくなるように、回転巻取機構９４の回転角度を規制する規制機構９８と、を有している。
【００４４】
次に、図４乃至図１４を参照して、本発明の第１実施形態による操作装置の駆動ユニットの回転巻取機構９４、回転方向変換機構９６、及び規制機構９８を実現する構造について詳細に説明する。
図１０（ａ）は本発明の第１実施形態による操作装置の第一回転歯車部材の斜視図であり、図１０（ｂ）は本発明の第１実施形態による操作装置の第一回転歯車部材を軸方向から見た正面図であり、図１１（ａ）は本発明の第１実施形態による操作装置の回転巻取部材を軸方向から見た正面図であり、図１１（ｂ）は本発明の第１実施形態による操作装置の回転巻取部材の斜視図であり、図１２（ａ）は本発明の第１実施形態による操作装置の第二回転歯車部材の斜視図であり、図１２（ｂ）は本発明の第１実施形態による操作装置の第二回転歯車部材を軸方向から見た正面図であり、図１３は本発明の第１実施形態による操作装置の第三回転歯車部材の正面図であり、図１４（ａ）は本発明の第１実施形態による操作装置の回転当接部材の斜視図であり、図１４（ｂ）は本発明の第１実施形態による操作装置の回転当接部材を軸方向から見た正面図であり、図１４（ｃ）は本発明の第１実施形態による操作装置の回転当接部材の側面図である。
【００４５】
駆動ユニット８４は、回転方向変換機構９６に組み込まれる第一回転歯車部材１００と、回転巻取機構９４、回転方向変換機構９６及び規制機構９８に組み込まれる回転巻取部材１０２と、回転巻取部材１０２が回転された場合に、回転巻取部材１０２を待機状態の位置に戻すように取付けられている戻りばね１０４と、回転方向変換機構９６に組み込まれる第二回転歯車部材１０６と、回転方向変換機構９６に組み込まれる第三回転歯車部材１０８と、回転方向変換機構９６及び規制機構９８に組み込まれる回転当接部材１１０と、これら第一回転歯車部材１００、回転巻取部材１０２、戻りばね１０４、第二回転歯車部材１０６、第三回転歯車部材１０８及び回転当接部材１１０の外周側を覆うように貯水タンク１８内方に向かって立ち上がる壁面状のカバー部材１１２と、カバー部材１１２に貯水タンク１８内方側から蓋をするように組み合わさり、カバー部材１１２とともに駆動ユニット８４の外周を形成するカバー蓋１１４とを備えている。
【００４６】
本発明の第１実施形態による操作装置３０は、貯水タンク１８の右側側面１８ｂに取付けられる操作装置であってもよい。本発明の第１実施形態による操作装置３０を、貯水タンク１８の右側側面１８ｂに取付けられる操作装置として適用する場合には、操作装置３０を、使用者が操作レバーを手前側に回転させる場合に大洗浄動作を行えるようにするために、操作装置の内部中心に対して前後反転して形成することができる。
【００４７】
カバー部材１１２は、カバー部材１１２の上部に形成された第一ストッパー部１１２ａと、カバー部材１１２の下部に形成された第二ストッパー部１１２ｂと、チューブ９２を取付けるチューブ取付部１１２ｃと、第三回転歯車部材１０８を回転可能に支持する第三回転歯車部材軸１１２ｄと、回転巻取部材１０２を回転可能に支持する巻取部材軸１１２ｅと、を備えている。第二ストッパー部１１２ｂは、回転巻取部材１０２が待機位置から巻取り方向（上昇する方向）と逆に回転することを防ぐことができる。第二ストッパー部１１２ｂが回転巻取部材１０２が戻り回転をするときに、回転巻取部材１０２を待機位置に停止させるように配置されているので、回転巻取部材１０２の回転の初期位置を一定にさせることができる。
【００４８】
第一回転歯車部材１００は、円形のギヤを形成し、外周上に外歯が形成された第一歯車部１００ａと、内周面上に内側に向かって突出する第一内側突出部１００ｂと、を備えている。第一回転歯車部材１００は、回転軸８２を中心とした回転をするように回転軸８２に取付けられる。
第一回転歯車部材１００の第一内側突出部１００ｂは、図１６（ａ）に示すように、回転軸８２が正回転をするときに回転巻取部材１０２を回転させたい場合には、回転軸８２の第一掛かり部８８に対して回転軸８２の正回転側に配置されている。
【００４９】
第一回転歯車部材１００は、回転軸８２の第１掛かり部８８が回転し、この第一内側突出部１００ｂと接して組み合う（引っ掛かる）状態となるときに、第１掛かり部８８が第一内側突出部１００ｂを第１掛かり部８８の回転方向に押すように作用し、回転軸８２と第一回転歯車部材１００とが連動して同じ回転方向への回転を行うこととなる。
このように、第一回転歯車部材１００は、回転軸８２の回転方向が正回転方向である場合、回転軸８２の回転方向が逆回転方向である場合のうちいずれか一方の場合、例えば回転軸８２の回転方向が正回転方向である場合において、回転軸８２と連動して正回転する。他方で、いずれか他方の場合、例えば回転軸８２の回転方向が逆回転方向である場合においては、回転軸８２の第１掛かり部８８が逆回転し、この第一内側突出部１００ｂと接して組み合う（引っ掛かる）状態とならないので、回転軸８２のみが回転し、第一回転歯車部材１００は回転していない状態で維持されることとなる。従って、第一回転歯車部材１００は、選択された正回転方向のみに回転軸８２と連動して回転するように構成されている。
【００５０】
回転巻取部材１０２は、自身の回転方向（巻取り方向）Ｄｃｏ、ｄｃｏに沿って操作ワイヤ２８を巻き上げる部材である。この回転巻取部材１０２は、円周弧の約３分の１ほどの長さに形成され、自身の回転方向に沿って操作ワイヤ２８を巻き取るプーリー部１０２ａと、円周弧の約３分の２ほどの長さの扇形に形成され、第一歯車部１００ａと噛み合うように外歯に形成された巻取部材歯車部１０２ｂと、プーリー部１０２ａ上の円周弧の上端に形成され且つ操作ワイヤ２８をプーリー部１０２ａ上に沿わせるように取付ける取付部１０２ｃと、巻取部材軸１１２ｅより外側のプーリー部１０２ａに設けられ、自身を回転させる力を受けることができる回転巻取部材受動部１０２ｄと、プーリー部１０２ａの上端の一部を形成し且つ回転巻取部材１０２が第１の回転角度Ａ１まで回転するとき第一ストッパー部１１２ａと当接する第１規制部１０２ｅと、を備えている。
【００５１】
回転巻取部材１０２は、巻取部材軸１１２ｅが中心部に挿入された状態で、巻取部材軸に取付けられ、巻取部材軸１１２ｅを中心として回転することができる。回転巻取部材１０２は、プーリー部１０２ａと、巻取部材歯車部１０２ｂとが共通の巻取部材軸１１２ｅを有する一体の回転部材として形成されている。回転巻取部材１０２は、一体の回転部材として構成されるので、巻取部材歯車部１０２ｂの回転方向とプーリー部１０２ａの回転方向とが同じ方向となる。
回転巻取部材１０２は、プーリー部１０２ａの曲率半径（回転半径）が、巻取部材歯車部１０２ｂの曲率半径（回転半径）よりも大きく形成され、さらに、回転軸８２の曲率半径（回転半径）よりも大きく形成されている。
【００５２】
さらに、プーリー部１０２ａには、外周に沿って半径方向内側に凹まされた溝部１０２ｆが形成されている。従って、操作ワイヤ２８が溝部１０２ｆ内に収められながら、プーリー部１０２ａに沿って確実に巻き取られることが可能になる。
取付部１０２ｃは、プーリー部１０２ａの外縁の上端において、操作ワイヤ２８の駆動ユニット側端部２８ａを嵌合するように形成され、取付部１０２ｃは、溝部１０２ｆと連続して形成され、図７に示すように、平面視で見て、回転巻取部材１０２の外側に向かうコの字形状の開口を形成している。従って、操作ワイヤ２８の駆動ユニット側端部２８ａが取付部１０２ｃに嵌合して固定でき、且つ操作ワイヤ２８をプーリー部１０２ａに沿うように巻き上げること及び操作ワイヤ２８をプーリー部１０２ａの溝部から離れるように下方に巻き下ろすことが可能になっている。
【００５３】
回転巻取部材受動部１０２ｄは、プーリー部１０２ａの上面から立ち上がるように形成された壁状の面を有している。従って、回転当接部材１１０が巻取り方向に回転するとき、回転当接部材１１０の第１当接部１１０ｃが回転巻取部材受動部１０２ｄと当接して係合するようになっている。
【００５４】
第１規制部１０２ｅは、プーリー部１０２ａの上端の一部に形成され、プーリー部１０２ａが巻取り方向に回転するとき、第一ストッパー部１１２ａと当接するようになっている。第１規制部１０２ｅが第一ストッパー部１１２ａと当接することにより、自身の回転方向に沿って操作ワイヤ２８を巻き上げる回転範囲が第１の回転範囲に規制される。
【００５５】
戻りばね１０４は、回転巻取部材１０２とカバー部材１１２との間において巻取部材軸１１２ｅの外周外側に取付けられるコイル形状ばねである。この戻りばね１０４は、回転巻取部材１０２を、例えば図１５（ｂ）に示すように、待機状態の位置から回転させた後に、回転巻取部材１０２を再び待機状態の位置に戻すように回転巻取部材１０２に戻り方向の力を作用させるようになっている。
戻りばね１０４は、回転巻取部材１０２の回転方向が同じ所定の回転方向となる回転方向変換機構９６と合わせて用いられることにより、回転巻取部材の回転方向が２方向となる場合と比べても、回転巻取部材１０２を所定の待機位置に比較的精確に復帰させることができる。
【００５６】
第二回転歯車部材１０６は、円形のギヤを形成し、外周上に外歯が形成された第二歯車部１０６ａと、内周面上に内側に向かって突出する第二内側突出部１０６ｂと、を備えている。第二回転歯車部材１０６は、回転軸８２を中心とした回転をするように回転軸８２に取付けられている。本発明の第１実施形態におけるように回転軸８２が逆回転をするときに第二回転歯車部材１０６を介して回転巻取部材１０２を回転させたい場合には、第二回転歯車部材１０６の第二内側突出部１０６ｂは、回転軸８２の第二掛かり部９０に対して回転軸の逆回転側に配置されている。これに対し、回転軸８２が正回転をするときに第二回転歯車部材１０６を介して回転巻取部材１０２を回転させたい場合には、第二内側突出部１０６ｂは、回転軸８２の第二掛かり部９０に対して回転軸の正回転側に配置することができる。
【００５７】
第二内側突出部１０６ｂは、第二回転歯車部材１０６が回転軸８２に取付けられ、回転軸８２の第二掛かり部９０が逆回転し、この第二内側突出部１０６ｂと接して組み合う（引っ掛かる）状態となるときに、第二掛かり部９０が第二内側突出部１０６ｂを第二掛かり部９０の回転方向（逆回転方向）に押すように作用し、回転軸８２と第二回転歯車部材１０６とが連動して同じ回転方向への回転を行うこととなる。このように、第二回転歯車部材１０６は、回転軸８２の回転方向が正回転方向である場合、回転軸８２の回転方向が逆回転方向である場合のうちいずれか一方の場合、例えば回転軸８２の回転方向が逆回転方向である場合において、回転軸８２と連動して回転するように回転軸８２に取付けられている。
他方で、第二回転歯車部材１０６は、回転軸８２の回転方向が正回転方向である場合、回転軸８２の回転方向が逆回転方向である場合のうちいずれか他方の場合、例えば回転軸８２の回転方向が正回転方向である場合においては、回転軸８２の第二掛かり部９０が正回転し、この第二内側突出部１０６ｂと接して組み合う（引っ掛かる）状態とならないので、回転軸８２のみが空回転し、第二回転歯車部材１０６は回転していない状態で維持されることとなる。
従って、第二回転歯車部材１０６は、逆回転方向のみに回転軸８２と連動して回転するように構成されている。
【００５８】
第三回転歯車部材１０８は、外歯が形成された第三歯車部１０８ａを備え、この第三歯車部１０８ａが第二歯車部１０６ａと係合し、第三回転歯車部材軸１１２ｄを中心として回転するようになっている。第三回転歯車部材１０８は、第三回転歯車部材軸１１２ｄに取付けられ、第三回転歯車部材軸１１２ｄを中心として回転することができる。第三回転歯車部材１０８の第三歯車部１０８ａの回転方向は、第二歯車部１０６ａの回転方向と逆の方向となる。
【００５９】
回転当接部材１１０は、外周の約４分の３ほどの長さにわたる円弧上に形成され、第三歯車部１０８ａと噛み合うように外歯に形成された当接部材歯車部１１０ａと、
外周の約４分の１ほどの長さにわたる円弧領域中に形成された回転当接部１１０ｂと、を備えている。
さらに、この回転当接部１１０ｂには、自身の回転方向と同じ方向に回転巻取部材１０２を回転させるように、回転巻取部材１０２の回転巻取部材受動部１０２ｄと当接する第１当接部１１０ｃと、
自身が第１の回転角度Ａ１よりも小さい第２の回転角度Ａ２まで回転するとき第一ストッパー部１１２ａと当接する第２規制部１１０ｄとが形成されている。
回転当接部材１１０は、回転巻取部材１０２の上方に配置され、巻取部材軸１１２ｅが中心部に挿入された状態で、巻取部材軸１１２ｅに取付けられ、巻取部材軸１１２ｅを中心として回転することができる。回転当接部材１１０は、当接部材歯車部１１０ａと、第１当接部１１０ｃと、第２規制部１１０ｄとが共通の巻取部材軸１１２ｅを有する一体の回転部材として形成されている。回転当接部材１１０は、一体の回転部材として構成されるので、当接部材歯車部１１０ａの回転方向と回転当接部１１０ｂの回転方向とが同じ方向となる。
【００６０】
当接部材歯車部１１０ａは、円形から切り欠いたような切り欠け形状（扇形形状又は一部円形状）のギヤを形成している
第１当接部１１０ｃは、巻取部材軸１１２ｅから第１当接部１１０ｃまでの半径が、回転巻取部材１０２上における巻取部材軸１１２ｅから回転巻取部材受動部１０２ｄまでの半径とほぼ同じになる部分を有するように形成され、さらに、回転当接部１０２から巻取部材軸１１２ｅの貯水タンク外側方向（回転巻取部材の向かう方向）に突出するように形成されている。従って、詳細は後述する図２１に示すように、第１当接部１１０ｃは、回転当接部材１１０が正回転するとき回転巻取部材受動部１０２ｄに当接して、回転巻取部材受動部１０２ｄを引掛けるようにして回転巻取部材１０２を正回転させるようになっている。
【００６１】
第２規制部１１０ｄは、回転当接部材１１０の上端の上端壁面を形成し、この上端壁面が、上述のように回転当接部材１１０が回転巻取部材１０２とともに連動して正回転する場合に、回転巻取部材１０２の上端の第１規制部１０２ｅよりも回転の前方側に突出した状態となる。すなわち、第２規制部１１０ｄは、回転当接部材１１０と回転巻取部材１０２とが組み合った状態で、第１規制部１０２ｅよりもさらに回転方向前方側の規制部を形成する。従って、回転当接部材１１０が回転巻取部材１０２とともに連動して正回転する場合、第２規制部１１０ｄが、第一ストッパー部１１２ａと当接し、回転当接部材１１０及び回転巻取部材１０２の回転が停止及び規制される。従って、回転巻取部材１０２の回転範囲を規制することにより、操作ワイヤ２８が移動する大きさの範囲を規制している。
【００６２】
なお、駆動ユニット８４は上述の歯車部材の組合せのみならず、他の歯車部材又は他の機構と組合わせることにより回転巻取部材１０２を同一の回転方向Ｄｃｏ、ｄｃｏに回転させるものも含んでいる。
【００６３】
第一回転歯車部材１００及び回転巻取部材１０２は、操作ハンドル２６の回転角度に対して回転巻取部材１０２の回転角度を増加させる増速機構に組み込まれることができる。増速機構においては、第一歯車部１００ａと巻取部材歯車部１０２ｂとのギヤ比（ギヤの歯数の比）が、操作ハンドル２６により回転される回転軸８２及び第一回転歯車部材１００の回転角度に対して、回転巻取部材１０２の回転角度を増加させるように形成されている。
また、第二回転歯車部材１０６、第三回転歯車部材１０８、回転当接部材１１０及び回転巻取部材１０２は、操作ハンドル２６の回転角度に対して回転巻取部材１０２の回転角度を増加させる増速機構に組み込まれることができる。増速機構においては、第二歯車部１０６ａと巻取部材歯車部１０２ｂとのギヤ比（ギヤの歯数の比）が、操作ハンドル２６により回転される回転軸８２及び第二回転歯車部材１０６の回転角度に対して、回転巻取部材１０２の回転角度を増加させるように形成されている。
【００６４】
逆に、第一回転歯車部材１００及び回転巻取部材１０２は、操作ハンドル２６の回転角度に対して回転巻取部材１０２の回転角度を減少させる減速機構に組み込まれることができる。減速機構においては、第一歯車部１００ａと巻取部材歯車部１０２ｂとのギヤ比（ギヤの歯数の比）が、操作ハンドル２６により回転される回転軸８２及び第一回転歯車部材１００の回転角度に対して、回転巻取部材１０２の回転角度を減少させるように形成されている。
また、第二回転歯車部材１０６、第三回転歯車部材１０８、回転当接部材１１０及び回転巻取部材１０２は、操作ハンドル２６の回転角度に対して回転巻取部材１０２の回転角度を減少させる減速機構に組み込まれることができる。減速機構においては、第二歯車部１０６ａと巻取部材歯車部１０２ｂとのギヤ比（ギヤの歯数の比）が、操作ハンドル２６により回転される回転軸８２及び第二回転歯車部材１０６の回転角度に対して、回転巻取部材１０２の回転角度を減少させるように形成されている。
【００６５】
駆動ユニット８４は、回転巻取部材１０２の巻取部材軸１１２ｅが、回転軸８２とは別軸に構成されているので、上述のように、第一回転歯車部材１００及び回転巻取部材１０２を増速機構又は減速機構に組み込むことができ、さらに、第二回転歯車部材１０６、第三回転歯車部材１０８、回転当接部材１１０及び回転巻取部材１０２を増速機構又は減速機構に組み込むことができる。従って、操作ハンドル２６を正回転、またはその逆回転のいずれの回転方向に回転させた場合も、駆動ユニット８４は、増速機構又は減速機構のいずれかの機構を備えることができるようになっている。
【００６６】
つぎに、図１５〜図１８を参照して、本発明の第１実施形態による操作装置の動作（作用）を説明する。
先ず、図１５〜図１８により、本発明の第１実施形態による操作装置を備えた貯水タンク装置及びこの貯水タンク装置が適用された水洗大便器により実行される大洗浄モードについて説明する。
【００６７】
図１５（ａ）に示すように、使用者が操作ハンドル２６の操作を開始する前の待機状態においては、操作ハンドル２６は鉛直方向下方に延びる待機位置にあり、図３及び図１５（ａ）に示すように、駆動ユニット８４は、回転巻取部材１０２が待機位置（初期位置）にあり、操作ワイヤ２８に連結された弁体５６が排水口４６を閉止している状態となっている。このとき貯水タンク１８内の初期水位が満水水位ＷＬ（図３）となっている。
【００６８】
図１５（ａ）に示す待機状態において、使用者が大洗浄操作を開始させるとき、使用者は操作ハンドル２６の待機状態から操作ハンドル２６の持ち手部分２６ａを手前に引き上げるように正回転方向Ｄ０に回転させる。操作ハンドル２６が正回転されると、操作ハンドル２６に連結された回転軸８２が正回転される。
図１６（ａ）及び（ｂ）に示すように、回転軸８２が回転方向Ｄ０で正回転するとき、回転軸８２の第一掛かり部８８が第一回転歯車部材１００の第一内側突出部１００ｂに係合し、回転軸８２と第一回転歯車部材１００とが連動して回転方向Ｄ０で正回転する。第一歯車部１００ａと噛み合う巻取部材歯車部１０２ｂは、第一歯車部１００ａと逆回転で回転する。従って、回転巻取部材１０２は、回転軸８２の正回転方向Ｄ０の回転に対し、逆回転方向Ｄ１（＝Ｄｃｏ）の回転動作を行う。この逆回転方向Ｄ１が共通の回転方向Ｄｃｏとなる。以下説明するように、回転巻取部材１０２は、操作ハンドル２６の回転方向によらず、常に同一且つ共通の回転方向（巻取り方向）Ｄｃｏに操作ワイヤ２８の巻取りを行うようになっている。
【００６９】
このように回転軸８２が正回転するとき、図１８（ａ）及び（ｂ）に示すように、回転軸８２の第二掛かり部９０は第二回転歯車部材１０６の第二内側突出部１０６ｂと係合せずに空回転する。よって、図１７（ｂ）及び図１８（ｂ）等に示すように、第二回転歯車部材１０６は回転されず、第二回転歯車部材１０６と噛み合う第三回転歯車部材１０８も回転せず、第三回転歯車部材１０８と噛み合う回転当接部材１１０も回転せずに待機位置で停止したまま維持されている。このとき回転当接部材１１０は回転巻取部材１０２に作用せず、回転巻取部材１０２が回転当接部材１１０とは独立して回転方向Ｄｃｏに巻取り動作を行っている。
【００７０】
回転巻取部材１０２が回転方向Ｄｃｏに回転するに伴い、プーリー部１０２ａは、取付部１０２ｃに取付けられた操作ワイヤ２８を巻き上げるように回転方向Ｄｃｏの方向に上昇回転する。操作ワイヤ２８の駆動ユニット側端部２８ａはプーリー部１０２ａの外周に沿った溝部１０２ｆに沿って引き上げられ、操作ワイヤ２８を介して排水弁側端部２８ｂに物理的に連結された弁体５６が引き上げられ貯水タンク１８からの排水動作が行われる。
【００７１】
図１６（ｂ）及び図１７（ｂ）等に示すように、プーリー部１０２ａの回転は、第１規制部１０２ｅが第一ストッパー部１１２ａと当接することにより規制され、停止される。すなわち、プーリー部１０２ａは、第１の回転範囲に対応する第１の回転角度Ａ１まで回転され、プーリー部１０２ａの回転角度によって決まる操作ワイヤ２８の引き上げ量は比較的大きく設定されている。従って、排水弁装置２４の弁体５６の引き上げ高さも比較的高い位置ｈ１になり、貯水タンク１８から便器に供給される洗浄水の量が比較的大容量となる大洗浄モードの洗浄動作を行う。
このように、排水弁装置２４の弁体５６を操作ワイヤ２８によって直接引き上げる場合には、操作ワイヤ２８の引き上げ量がばらつく場合、貯水タンク１８から排水される洗浄水量がばらついてしまうので、操作ワイヤ２８の引き上げ量を正確に規定することが必要となる。本発明においては、回転巻取部材１０２の巻取り方向Ｄｃｏ、ｄｃｏを常に同一方向にすることにより、回転巻取部材１０２の待機位置（初期位置）への戻りを比較的精確にすることができ、各洗浄動作ごとの回転巻取部材１０２の回転量のばらつきを低減し、操作ワイヤ２８の引き上げ量のばらつきを低減し、操作ワイヤ２８の引き上げ量の比較的精確な制御を可能にした。
また、第一ストッパー部１１２ａと第二ストッパー部２１２ｂにより回転巻取部材１０２の回転量のばらつきを抑制できている。
【００７２】
使用者が操作ハンドル２６から手を放すと、回転巻取部材１０２は戻りばねにより元の待機状態に戻るように戻り回転する。回転巻取部材１０２が戻り回転すると第一回転歯車部材１００が同様に戻り回転して操作ハンドル２６が元の待機状態に戻る。回転巻取部材１０２が元の待機状態に戻り、操作ワイヤ２８に接続された弁体５６が排水口４６を閉止すると排水弁装置２４の排水動作が終了し、所定の給水動作を行って、貯水タンク１８内に満水水位ＷＬまで給水して、使用者が操作ハンドル２６を操作する前の待機状態に戻る。
【００７３】
つぎに、図１９〜図２２により、本発明の第１実施形態による操作装置を備えた貯水タンク装置及びこの洗浄水タンク装置が適用された水洗大便器により実行される小洗浄モードについて説明する。
図１９（ａ）に示されるような使用者が小洗浄モードの洗浄を行わせる操作ハンドル２６の操作を開始する前の待機状態における洗浄水タンク装置１６及び駆動ユニット８４の状態おいては、上述した図１５（ａ）に示されている大洗浄モードの場合と同様であるため、説明は省略する。
【００７４】
図１９（ａ）に示す待機状態において、使用者が小洗浄モードによる排水を行う手動操作を開始させるとき、使用者は操作ハンドル２６の待機状態から操作ハンドル２６の持ち手部分２６ａを便器本体２の奥側に引き上げる（押し込む）ように逆回転させる。操作ハンドル２６が回転方向ｄ０の方向に逆回転されると、操作ハンドル２６に連結された回転軸８２が逆回転される。図２２（ａ）（ｂ）に示すように、回転軸８２が逆回転するとき、回転軸８２の第二掛かり部９０が第二回転歯車部材１０６の第二内側突出部１０６ｂに係合し、回転軸８２と第二回転歯車部材１０６とが連動して回転方向ｄ０の方向に逆回転する。第二回転歯車部材１０６の第二歯車部１０６ａと噛み合う第三回転歯車部材１０８の第三歯車部１０８ａは、第二歯車部１０６ａと逆の回転で回転方向ｄ１に回転する。さらに、第三回転歯車部材１０８の第三歯車部１０８ａと噛み合う回転当接部材１１０の当接部材歯車部１１０ａは、第三歯車部１０８ａと逆の回転で回転方向ｄ０に回転する。このように小洗浄モードの場合に、大洗浄モードの場合と比べて、回転を伝達する歯車の数を異ならせることで回転当接部材１１０及び回転巻取部材１０２の回転方向を大洗浄モードの場合と同一にすることができる。
従って、回転当接部材１１０は、回転軸８２の逆回転方向の回転に対し、第二回転歯車部材１０６、第三回転歯車部材１０８及び回転当接部材１１０により回転方向を変換した結果、同様の逆回転方向ｄ０（＝ｄｃｏ）の回転動作を行う。
回転当接部材１１０が逆回転方向に回転するとき、回転当接部材１１０の第１当接部１１０ｃは、回転巻取部材１０２の回転巻取部材受動部１０２ｄと当接して係合した状態となり、回転当接部材１１０が回転巻取部材１０２とともに連動して逆回転する。このように、回転巻取部材１０２は、操作ハンドル２６の回転方向によらず、常に同一且つ共通の逆回転方向（巻取り方向）Ｄｃｏ、ｄｃｏに操作ワイヤ２８の巻取りを行うようになっている。
【００７５】
図２０（ａ）及び図２０（ｂ）に示すように、回転軸８２が逆回転するとき、回転軸８２の第一掛かり部８８は第一回転歯車部材１００の第一内側突出部１００ｂと係合せずに空回転する。よって、図２０（ｂ）に示すように、第二回転歯車部材１０６は回転軸８２によっては回転されない。しかしながら、回転巻取部材１０２が、第二回転歯車部材１０６、第三回転歯車部材１０８及び回転当接部材１１０により逆回転方向に回転される結果、巻取部材歯車部１０２ｂと噛み合う第一歯車部１００ａも回転されることとなる。但し、この場合においても、第一掛かり部８８は第一内側突出部１００ｂと係合しないようになっている。
【００７６】
回転巻取部材１０２が逆回転方向ｄｃｏ（＝ｄ０）に回転するに伴い、プーリー部１０２ａは、取付部１０２ｃに取付けられた操作ワイヤ２８を巻き上げるように上昇回転する。操作ワイヤ２８の駆動ユニット側端部２８ａはプーリー部１０２ａの外周に沿った溝部１０２ｆに沿って引き上げられ、操作ワイヤ２８を介して排水弁側端部２８ｂに物理的に連結された弁体５６が引き上げられ貯水タンク１８からの排水動作が行われる。
【００７７】
図２２（ｂ）に示すように、プーリー部１０２ａの回転は、回転当接部１１０ｂの第２規制部１１０ｄが第一ストッパー部１１２ａと当接することにより規制され、停止される。すなわち、プーリー部１０２ａは、第２の回転範囲に対応する第２の回転角度Ａ２まで回転され、プーリー部１０２ａの回転角度によって決まる操作ワイヤ２８の引き上げ量は比較的小さく設定されている。第２の回転角度Ａ２は、第１の回転角度Ａ１よりも小さくされている。従って、排水弁装置２４の弁体５６の引き上げ高さも比較的低い位置ｈ２になり、貯水タンク１８から便器に供給される洗浄水の量が比較的小量に抑えられている小洗浄モードの洗浄動作を行う。
【００７８】
使用者が操作ハンドル２６から手を放して操作ハンドル２６が元の待機状態に戻ると、回転巻取部材１０２は戻りばね１０４により元の待機状態に戻るように戻り回転する。回転巻取部材１０２が元の待機状態に戻り、操作ワイヤ２８に接続された弁体５６が排水口４６を閉止すると排水弁装置２４の排水動作が終了し、所定の給水動作を行って、貯水タンク１８内に満水水位ＷＬまで給水して、使用者が操作ハンドル２６を操作する前の待機状態に戻る。
【００７９】
上述した本発明の第１実施形態による操作装置３０によれば、使用者が正回転、またはその逆回転の回転操作を選択することにより大洗浄、または小洗浄を選択することができる操作ハンドル２６を操作し、回転軸８２の回転方向が正回転方向である場合、回転軸８２の回転方向が逆回転方向である場合のいずれの場合にも、回転方向変換機構９６が、回転巻取機構９４の回転方向が同じ所定の回転方向Ｄｃｏ、ｄｃｏとなるように回転軸８２から回転巻取機構９４に伝達される回転方向を変換することができる。従って、回転巻取機構９４が自身の回転方向に沿って操作ワイヤ２８を巻き上げる巻き上げ量のばらつきを抑制することができ、弁体５６を適切に作動させ、適切な洗浄水量により便器を洗浄させることができる。
また、使用者が操作ハンドル２６を正回転、またはその逆回転の回転操作を選択して操作するだけで、規制機構９８が、回転軸８２の回転方向が正回転方向である場合、回転軸８２の回転方向が逆回転方向である場合のうちいずれか一方の場合における回転巻取機構９４の回転角度Ａ１が、いずれか他方の場合における回転巻取機構９４の回転角度Ａ２よりも小さくなるように、回転巻取機構９４の回転角度を規制することができる。よって、回転巻取機構９４が自身の回転方向に沿って操作ワイヤ２８を巻き上げる量を適切に変更することができる。従って、使用者が操作ハンドル２６の正回転またはその逆回転の回転操作を選択するだけで、簡単に大洗浄、または小洗浄を選択して、弁体５６を適切に作動させ、適切な洗浄水量により便器を洗浄させることができ、使用者の使い勝手を向上させることができる。
【００８０】
また、本発明の第１実施形態による操作装置３０によれば、使用者が正回転、またはその逆回転の回転操作を選択することにより大洗浄、または小洗浄を選択することができる操作ハンドル２６を操作し、回転軸８２の回転方向が正回転方向である場合、回転軸８２の回転方向が逆回転方向である場合のいずれの場合にも、駆動ユニット８４の回転方向変換機構９６が、回転巻取部材９４の回転方向が同じ所定の回転方向Ｄｃｏ、ｄｃｏとなるように回転軸８２から回転巻取部材９４に伝達される回転方向を変換することができる。
すなわち、回転軸８２の回転方向が正回転方向である場合、回転軸８２の回転方向が逆回転方向である場合のうちいずれか一方の場合においては、第一回転歯車部材１００は、回転軸８２と連動して同じ方向に回転する。第一回転歯車部材１００の第一歯車部１００ａは、巻取部材歯車部１０２ｂと係合し、回転巻取部材１０２は、回転軸８２の回転方向と逆の方向に回転する。このようにして、回転巻取部材１０２は、回転軸８２の回転方向と逆の方向の回転により操作ワイヤ２８を巻き上げることができる。
一方、回転軸８２の回転方向が正回転方向である場合、回転軸８２の回転方向が逆回転方向である場合のうちいずれか他方の場合においては、第二回転歯車部材１０６が、回転軸８２と連動して同じ方向に回転する。第二回転歯車部材１０６の第二歯車部１０６ａは、第三回転歯車部材１０８の第三歯車部１０８ａと係合しながら回転し、第三回転歯車部材１０８は、第二回転歯車部材１０６の回転方向と逆の方向に回転する。さらに、第三回転歯車部材１０８の第三歯車部１０８ａは、回転当接部材１１０の当接部材歯車部１１０ａと係合しながら回転し、回転当接部材１１０は、第三回転歯車部材１０８の回転方向と逆の方向に回転する。回転当接部材１１０の第１当接部１１０ｃは、回転巻取部材１０２の回転巻取部材受動部１０２ｄと係合し、回転当接部材１１０の回転方向と同じ方向に回転巻取部材１０２を回転させる。よって、回転巻取部材１０２は、回転軸８２の回転方向と同じ回転方向に回転する。このようにして、回転巻取部材１０２は、回転軸８２の回転方向と同じ回転方向の回転により操作ワイヤ２８を巻き上げることができる。
従って、回転軸８２の回転方向が正回転方向である場合、回転軸８２の回転方向が逆回転方向である場合のいずれの場合にも、回転方向変換機構９６が、回転巻取部材１０２の回転方向が同じ所定の回転方向となるように回転軸８２から回転巻取部材１０２に伝達される回転方向を変換することができ、比較的簡易な構造により、回転巻取部材１０２の回転方向を同一にすることができる。
従って、使用者が操作ハンドル２６を正回転、またはその逆回転のいずれの方向に操作した場合にも、回転巻取部材１０２が自身の回転方向に沿って適切に操作ワイヤ２８を巻き上げることができ、弁体５６を適切に作動させることができる。
【００８１】
さらに、本発明の第１実施形態による操作装置３０によれば、回転軸８２の回転方向が正回転方向である場合、回転軸８２の回転方向が逆回転方向である場合のうちいずれか一方の場合においては、第一回転歯車部材１００が、回転軸８２と連動して回転する。第一回転歯車部材１００の第一歯車部１００ａは、巻取部材歯車部１０２ｂと係合し、回転巻取部材１０２が回転する。このとき、第二回転歯車部材１０６は回転せずに当初の位置に維持された状態であるため、回転当接部材１１０も当初の位置に維持された状態のままである。回転巻取部材１０２が第１の回転角度Ａ１まで回転するとき、第１規制部１０２ｅがカバー部材１１２の第一ストッパー部１１２ａと当接し、回転巻取部材１０２が操作ワイヤ２８を巻き上げる回転範囲が第１の回転範囲に規制される。
また、回転軸８２の回転方向が正回転方向である場合、回転軸８２の回転方向が逆回転方向である場合のうちいずれか他方の場合においては、第二回転歯車部材１０６が、回転軸８２と連動して回転する。第二回転歯車部材１０６の第二歯車部１０６ａは、第三回転歯車部材１０８の第三歯車部１０８ａと係合しながら回転し、第三回転歯車部材１０８が回転する。さらに、第三回転歯車部材１０８の第三歯車部１０８ａは、回転当接部材１１０の当接部材歯車部１１０ａと係合しながら回転し、回転当接部材１１０が回転する。このとき、回転当接部材１１０の第１当接部１１０ｃは、回転巻取部材１０２の回転巻取部材受動部１０２ｄと係合し、回転当接部材１１０の回転方向と同じ方向に回転巻取部材１０２を連動して回転させる。回転当接部材１１０及び回転巻取部材１０２が第２の回転角度Ａ２まで回転するとき、回転当接部材１１０の第２規制部１１０ｄがカバー部材１１２の第一ストッパー部１１２ａと当接し、回転巻取部材１０２が操作ワイヤ２８を巻き上げる回転範囲が第１の回転範囲よりも小さい第２の回転範囲に規制される。
従って、使用者が操作ハンドル２６を正回転、またはその逆回転の回転操作を選択して操作するだけで、回転軸８２の回転方向が正回転方向である場合、回転軸８２の回転方向が逆回転方向である場合のうちいずれか一方の場合における回転巻取部材１０２の回転角度に対して、回転軸８２の回転方向が正回転方向である場合、回転軸８２の回転方向が逆回転方向である場合のうちいずれか他方の場合における回転巻取部材１０２の回転角度が小さくなるように、駆動ユニット８４の規制機構９８が、回転巻取部材１０２の回転範囲を規制することができる。よって、回転巻取部材１０２が自身の回転方向に沿って操作ワイヤ２８を巻き上げる量を適切に変更することができる。従って、使用者が操作ハンドル２６の正回転またはその逆回転の回転操作を選択するだけで、簡単に大洗浄、または小洗浄を選択することができ、使用者の使い勝手が向上する。
【００８２】
また、本発明の第１実施形態による操作装置３０によれば、回転巻取部材１０２を所定の回転角度まで回転させるために必要な回転軸８２の回転角度を低減させることができ、この回転軸８２を回転させる操作ハンドル２６の回転角度を低減することができる。したがって、使用者が操作ハンドル２６を大きく回転させる必要がなくなるので、使用者の使い勝手を向上させることができる。
【００８３】
さらに、本発明の第１実施形態による操作装置３０によれば、回転巻取部材１０２を所定の回転角度まで回転させるために必要な回転軸８２の回転に必要な操作力を低減させることができ、操作ハンドル２６の回転操作に必要な操作力を低減することができる。したがって、使用者が操作ハンドル２６を比較的小さな操作力で回転させることができるので、使用者が操作ハンドル２６を容易に操作することができる。
【００８４】
また、本発明の第１実施形態による操作装置３０によれば、戻りばね１０４が使用者の回転操作後に回転巻取部材１０２を所定の待機位置に復帰させるため、弁体５６を開弁したままの状態になることがない。また、回転巻取部材１０２の回転方向が同じ所定の回転方向となる回転方向変換機構９６と合わせて用いられることにより、戻りばね１０４が回転巻取部材１０２を所定の待機位置に比較的精確に復帰させることができる。よって、次回の使用者の回転操作時に、適切に洗浄動作を行うことができる。
【００８５】
また、本発明の第１実施形態による操作装置３０によれば、操作ハンドル２６を正回転、またはその逆回転のいずれの回転方向に回転させた場合も、増速機構又は減速機構のいずれかの機構を備えることができ、使用者の使い勝手が向上する。
【００８６】
また、本発明の第１実施形態による操作装置３０によれば、回転巻取機構９４の回転の軸が回転軸８２と同軸に構成されているので、駆動ユニット８４全体をコンパクトに構成することができる。
【００８７】
また、本発明は、上記操作装置３０を備えたことと特徴とする洗浄水タンク装置１６である。
このように構成された本発明においては、操作装置３０を備えた洗浄水タンク装置１６を提供することができる。
【００８８】
また、本発明は、上記洗浄水タンク装置１６を備えたことを特徴とする水洗大便器１である。
このように構成された本発明においては、操作装置３０を備えた洗浄水タンク装置１６を備えている水洗大便器１を提供することができる。
【００８９】
つぎに、図２３乃至図２７を参照して、本発明の第２実施形態による操作装置について説明する。
図２３は本発明の第２実施形態による操作装置を示す分解斜視図であり、図２４は本発明の第２実施形態による操作装置において、カバー蓋を取り外し、駆動ユニットの内部構造を、駆動ユニットの第二回転歯車部材、第三回転歯車部材、第五回転歯車部材及び回転当接部材における外歯に形成された歯車を簡略化した表示方法により図示している斜視図であり、図２５は本発明の第２実施形態による操作装置において、カバー蓋を取り外し、駆動ユニットの内部構造を、駆動ユニットの第二回転歯車部材、第三回転歯車部材、第五回転歯車部材及び回転当接部材における外歯に形成された歯車を簡略化した表示方法により図示し、上方から見た側面図であり、図２６は本発明の第２実施形態による操作装置において、駆動ユニットにおける第二回転歯車部材、第三回転歯車部材、第五回転歯車部材、回転当接部材及び回転巻取部材の位置関係を示す概略図である。図２７（ａ）は本発明の第２実施形態による操作装置の回転軸の斜視図であり、図２７（ｂ）は本発明の第２実施形態による操作装置の回転軸を貯水タンク内側から軸方向に沿って見た正面図である。
なお、本発明の第２実施形態における各図において、上述した本発明の第１実施形態による操作装置の部分と同一部分については同一の符号を付し、これらの説明は省略する。なお、本発明の第２実施形態においては、図面の簡略化の目的で、ＪＩＳ等の規定に基づき、各歯車部の外歯の形状を簡略化して、これらの全部又は一部を外形の円又は円弧等の線により概略で示している。
以下、本発明の第２実施形態による操作装置が、上述した本発明の第１実施形態による操作装置と異なる部分を説明し、上述した本発明の第１実施形態による操作装置の部分と同一部分については同一の符号を付し、それらの説明は省略する。本発明の第２実施形態による操作装置を備えた洗浄水タンク装置及びその洗浄水タンク装置が適用された水洗大便器については、本発明の第１実施形態による操作装置を備えた洗浄水タンク装置及びその洗浄水タンク装置が適用された水洗大便器と同一であるので、これらの説明は省略する。
【００９０】
本発明の第２実施形態による操作装置２３０は、使用者によって２つの回転方向に操作される操作装置である。本発明の操作装置３０は、便器前方から見て貯水タンク１８の左側側面１８ａに配置され且つ使用者が正回転、またはその逆回転の回転操作を選択することにより大洗浄、または小洗浄を選択することができる操作ハンドル２２６と、貯水タンク１８の外側に配置された操作ハンドル２２６の回転を貯水タンク１８の内側まで伝達するように形成され、この操作ハンドル２２６の回転操作により正回転方向またはその逆回転方向に回転される回転軸２８２と、貯水タンク１８の内側に配置され、回転軸２８２及び操作ワイヤ２８に連結されて、回転軸２８２の回転動作を受けて操作ワイヤ２８を引き上げる動作を行う駆動ユニット２８４と、を有している。
【００９１】
なお、本発明の第２実施形態においては、第１実施形態とは異なり、図２４に示すように、使用者が操作ハンドル２２６の持ち手部分２６ａを奥側に回転させる方向を正回転方向Ｄ０とし、使用者が操作ハンドル２２６を正回転方向Ｄ０に回転させるとき大洗浄動作を行い、使用者が操作ハンドル２２６の持ち手部分２６ａを手前側に回転させる方向を逆回転方向ｄ０とし、使用者が操作ハンドル２２６を逆回転方向ｄ０に回転させるとき小洗浄動作を行うように設定している。操作ハンドルの正回転方向及び逆回転方向は自由に変更することが可能であり、本発明は、使用者が操作ハンドルの持ち手部分を手前側に回転させる方向を正回転方向とし、使用者が操作ハンドルを正回転方向に回転させるとき小洗浄動作を行い、使用者が操作ハンドルの持ち手部分を奥側に回転させる方向を逆回転方向とし、使用者が操作ハンドルを逆回転方向に回転させるとき大洗浄動作を行うように設定してもよい。
なお、操作ハンドル２２６は、貯水タンク１８の右側側面に取付けられる右側操作ハンドルであってもよい。
【００９２】
回転軸２８２は、外周面上から半径方向外側に突出し、一定の厚みを有する扇形形状に形成されている第一掛かり部２８３を有している。
第一掛かり部２８３は、回転軸２８２が正回転する際に、突出した扇形形状部分の正回転側側部２８３ａが後述する回転巻取部材受動部２０２ｄと当接し、回転軸２８２と回転巻取部材２０２とが連動して回転するように形成されている。また、第一掛かり部２８３は、回転軸２８２が逆回転する際に、突出した扇形形状部分の逆回転側側部２８３ｂが後述する第二回転歯車受動部２０６ｂと当接し、回転軸２８２と第二回転歯車部材２０６とが連動して回転するように形成されている。
【００９３】
先ず、図２３乃至図２７を参照して、本発明の第２実施形態による操作装置２３０の駆動ユニット２８４について概略的に説明する。
本発明の第２実施形態による操作装置２３０の駆動ユニット２８４は、回転軸２８２の回転半径より大きな回転半径を有し、共通の回転方向Ｄｃｏ、ｄｃｏ（図３３（ｂ））に沿って操作ワイヤ２８を巻き上げる回転巻取機構２９４と、回転軸２８２の回転方向が正回転方向である場合、回転軸２８２の回転方向が逆回転方向である場合のいずれの場合にも、回転巻取機構２９４の回転方向が同じ所定の回転方向Ｄｃｏ、ｄｃｏとなるように回転軸２８２から回転巻取機構２９４に伝達される回転方向を変換する回転方向変換機構２９６と、回転軸２８２の回転方向が正回転方向である場合、回転軸２８２の回転方向が逆回転方向である場合のうちいずれか一方の場合における回転巻取機構２９４の回転角度が、いずれか他方の場合における回転巻取機構２９４の回転角度よりも小さくなるように、回転巻取機構２９４の回転角度を規制する規制機構２９８と、を有している。
【００９４】
次に、図２３乃至図３２を参照して、本発明の第２実施形態による操作装置２３０の駆動ユニット２８４の回転巻取機構２９４、回転方向変換機構２９６、及び規制機構２９８を実現する構造について詳細に説明する。
図２８（ａ）は本発明の第２実施形態による操作装置の回転巻取部材の斜視図であり、図２８（ｂ）は本発明の第２実施形態による操作装置の回転巻取部材を貯水タンク内側から軸方向に沿って見た正面図であり、図２９（ａ）は本発明の第２実施形態による操作装置の第二回転歯車部材の斜視図であり、図２９（ｂ）は本発明の第２実施形態による操作装置の第二回転歯車部材を貯水タンク外側から軸方向に沿って見た正面図であり、図３０（ａ）は本発明の第２実施形態による操作装置の第三回転歯車部材の斜視図であり、図３０（ｂ）は本発明の第２実施形態による操作装置の第三回転歯車部材を貯水タンク内側から軸方向に沿って見た正面図であり、図３１は本発明の第２実施形態による操作装置の第五回転歯車部材の正面図であり、図３２（ａ）は本発明の第２実施形態による操作装置の第五回転歯車部材の斜視図であり、図３２（ｂ）は本発明の第２実施形態による操作装置の第五回転歯車部材を貯水タンク外側から軸方向に沿って見た正面図である。
【００９５】
駆動ユニット２８４は、回転巻取機構２９４、回転方向変換機構２９６及び規制機構２９８に組み込まれる回転巻取部材２０２と、回転巻取部材２０２が回転された場合に、回転巻取部材２０２を待機状態の位置に戻すように取付けられている戻りばね１０４と、回転方向変換機構２９６に組み込まれる第二回転歯車部材２０６と、回転方向変換機構２９６に組み込まれる第三回転歯車部材２０８と、回転方向変換機構２９６に組み込まれる第五回転歯車部材２０９と、回転方向変換機構２９６及び規制機構２９８に組み込まれる回転当接部材２１０と、これら回転巻取部材２０２、第二回転歯車部材２０６、第三回転歯車部材２０８、第五回転歯車部材２０９及び回転当接部材２１０の外周側を覆うように貯水タンク１８内方に向かって立ち上がる壁面形状の第一ストッパー部２１２ａを備えたカバー部材２１２と、カバー部材２１２に貯水タンク１８内方側から蓋をするように組み合わさり、カバー部材２１２とともに駆動ユニット２８４の外周を形成するカバー蓋２１４とを備えている。
【００９６】
本発明の第２実施形態による操作装置２３０は、使用者が主に左手によって操作しやすいように貯水タンク１８の左側側面１８ａに取付けられる操作装置であるが、使用者が主に右手によって操作しやすいように貯水タンク１８の右側側面１８ｂに取付けられる操作装置であってもよい。本発明の第２実施形態による操作装置２３０を、貯水タンク１８の右側側面１８ｂに取付けられる右手操作用の操作装置として適用する場合には、操作装置２３０を、使用者が操作レバーを奥側に回転させる場合に大洗浄動作を行えるようにするために、操作装置の中心に対して左右反転した構造により形成することができる。
【００９７】
カバー部材２１２は、カバー部材２１２の上部に形成された第一ストッパー部２１２ａと、カバー部材２１２の下部に形成された第二ストッパー部２１２ｂと、第三回転歯車部材２０８を回転可能に支持する第三回転歯車部材軸２１２ｄと、第五回転歯車部材２０９を回転可能に支持する第五回転歯車部材軸２１２ｆと、を備えている。第二ストッパー部２１２ｂは、回転巻取部材２０２が待機位置から巻取り方向（上昇する方向）と逆に回転することを防ぐことができる。第二ストッパー部２１２ｂが回転巻取部材２０２が戻る回転をするときに、回転巻取部材２０２を待機位置に停止させるように配置されているので、回転巻取部材２０２の回転の初期位置を一定にさせることができる。
【００９８】
回転巻取部材２０２は、プーリー部において回転軸より外側且つ外周よりも内側に設けられ、自身を回転させる力を受けることができる回転巻取部材受動部２０２ｄと、プーリー部２０２ａの上端の一部を形成し且つ回転巻取部材２０２が第１の回転角度Ａ１まで回転するとき第一ストッパー部２１２ａと当接する第１規制部２０２ｅと、を備えている。駆動ユニット２８４は、回転巻取部材２０２が自身の回転方向に沿って操作ワイヤ２８を巻き上げるためにその一定の回転半径及び回転範囲を含む大きさに形成されるが、この回転巻取部材２０２の回転の軸が回転軸２８２と同軸に構成されているので、自身の回転の軸が回転軸２８２と別軸に構成されている場合と比べて、駆動ユニット２８４全体をコンパクトに構成することができ、さらに、回転巻取部材２０２の半径を比較的大きく形成することができる。
【００９９】
回転軸２８２の第１掛かり部２８３が回転し、回転巻取部材受動部２０２ｄと接して組み合う（引っ掛かる）状態となるときに、第１掛かり部２８３が回転巻取部材受動部２０２ｄを第１掛かり部２８３の回転方向に押すように作用し、回転軸２８２と回転巻取部材２０２とが連動して同じ回転方向への回転を行うこととなる。
このように、回転巻取部材２０２は、回転軸２８２の回転方向が正回転方向である場合、回転軸２８２の回転方向が逆回転方向である場合のうちいずれか一方の場合、例えば回転軸２８２の回転方向が正回転方向である場合において、回転軸２８２と連動して正回転する。他方で、回転巻取部材２０２は、回転軸８２の回転方向が正回転方向である場合、回転軸２８２の回転方向が逆回転方向である場合のうちいずれか他方の場合、例えば回転軸２８２の回転方向が逆回転方向である場合においては、回転軸２８２の第１掛かり部２８３が逆回転し、回転巻取部材受動部２０２ｄと接して組み合う（引っ掛かる）状態とならないので、回転軸２８２が回転することに対し、回転巻取部材２０２は直接回転されない（後述するように、回転巻取部材２０２は回転当接部材２１０等により回転されることとなる）。
【０１００】
回転巻取部材受動部２０２ｄは、は、プーリー部１０２ａの巻取り方向の上端からプーリー部１０２ａの内側（回転軸２８２の軸方向に沿った貯水タンク内側）に向かって一定の高さまで立ち上がるように形成された突出部を形成している。また、回転当接部材２１０が巻取り方向に回転するとき、回転当接部材２１０の第１当接部２１０ｃが回転巻取部材受動部２０２ｄと当接して係合するようになっている。
【０１０１】
第１規制部２０２ｅは、プーリー部１０２ａの上端の一部に形成され、プーリー部１０２ａが巻取り方向に回転するとき、第一ストッパー部２１２ａと当接するようになっている。第１規制部２０２ｅが第一ストッパー部２１２ａと当接することにより、自身の回転方向に沿って操作ワイヤ２８を巻き上げる回転範囲が第１の回転範囲に規制される。
【０１０２】
第１規制部２０２ｅは、プーリー部１０２ａの巻取り方向の前端を形成する扇形突出部を形成し、この扇形突出部は、プーリー部１０２ａの内側面より高い高さに形成され、プーリー部１０２ａが巻取り方向に回転するとき、第一ストッパー部２１２ａと当接するようになっている。第１規制部２０２ｅが第一ストッパー部２１２ａと当接することにより、自身の回転方向に沿って操作ワイヤ２８を巻き上げる回転範囲が第１の回転範囲に規制される。
【０１０３】
戻りばね１０４は、回転巻取部材２０２の回転方向が同じ所定の回転方向となる回転方向変換機構２９６と合わせて用いられることにより、回転巻取部材の回転方向が２方向となる場合と比べても、回転巻取部材２０２を所定の待機位置に比較的精確に戻すことができる。
【０１０４】
第二回転歯車部材２０６は、円形のギヤを形成し、外周上に外歯が形成された第二歯車部２０６ａと、駆動ユニット２８４に取付けられた状態で、回転軸２８２の第一掛かり部２８３の逆回転側の近傍領域に向かって突出する第二回転歯車受動部２０６ｂと、を備えている。第二回転歯車部材２０６は、回転軸２８２を中心として回転するようになっている。第二回転歯車部材２０６の第二回転歯車受動部２０６ｂは、回転軸２８２の第一掛かり部２８３に対して回転軸の逆回転側に配置されている。
第二回転歯車部材２０６が回転軸２８２に取付けられ、回転軸の第一掛かり部２８３が逆回転し、この第二回転歯車受動部２０６ｂと接して組み合う（引っ掛かる）状態となるときに、第一掛かり部２８３が第二回転歯車受動部２０６ｂを第一掛かり部２８３の回転方向（逆回転方向）に押すように作用し、回転軸２８２と第二回転歯車部材２０６とが連動して同じ回転方向への回転を行うこととなる。このように、第二回転歯車部材２０６は、回転軸２８２の回転方向が正回転方向である場合、回転軸２８２の回転方向が逆回転方向である場合のうちいずれか一方の場合、例えば回転軸の回転方向が逆回転方向である場合において、回転軸２８２と連動して回転するように回転軸２８２に取付けられている。
他方で、第二回転歯車部材２０６は、回転軸２８２の回転方向が正回転方向である場合、回転軸２８２の回転方向が逆回転方向である場合のうちいずれか他方の場合、例えば回転軸２８２の回転方向が正回転方向である場合においては、回転軸２８２の第一掛かり部２８３が正回転し、この第二回転歯車受動部２０６ｂと接して組み合う（引っ掛かる）状態とならないので、回転軸２８２のみが正回転し、第二回転歯車部材２０６は回転していない状態で維持されることとなる。
従って、第二回転歯車部材２０６は、逆回転方向のみに回転軸２８２と連動して回転するように構成されている。
【０１０５】
第三回転歯車部材２０８は、外歯が形成された第三歯車部２０８ａと、第三歯車部２０８ａと連動して回転するように一体に形成され第三歯車部２０８ａから軸方向にずれた位置に外歯が形成された第四歯車部２０８ｂと、を備え、この第三歯車部２０８ａが第二歯車部２０６ａと係合し、第三歯車部２０８ａと連動して同じ方向に回転する第四歯車部２０８ｂは第五歯車部２０９ａと係合するようになっている。第三歯車部２０８ａ及び第四歯車部２０８ｂは、第三回転歯車部材軸２１２ｄに取付けられ、第三回転歯車部材軸２１２ｄを中心として回転することができる。
【０１０６】
第五回転歯車部材２０９は、外歯が形成された第五歯車部２０９ａを備え、この第五歯車部２０９ａが第四歯車部２０８ｂと係合し、第五回転歯車部材軸２１２ｆを中心として回転するようになっている。第五回転歯車部材２０９の第五歯車部２０９ａの回転方向は、第三歯車部２０８ａの回転方向と逆の逆回転方向となる。
【０１０７】
回転当接部材２１０は、外周の約４分の３ほどの長さにわたる円弧上に形成され、第五歯車部２０９ａと噛み合うように外歯に形成された当接部材歯車部２１０ａと、外周の一部からさらに半径方向外側に延び、この外側に延びた部分から回転軸２８２を中心とする円弧の一部を形成するように弧形状壁が形成されている回転当接部２１０ｂと、を備えている。
この回転当接部２１０ｂには、弧形状壁の一部が回転当接部材２１０の外側から第二回転歯車部材２０６の半径方向外方を越えて回転巻取部材２０２の内側面の近傍まで延び、自身の回転方向と同じ方向に回転巻取部材２０２を回転させるように、回転巻取部材２０２の回転巻取部材受動部２０２ｄと当接する第１当接部２１０ｃと、弧形状壁の一部が回転当接部材２１０の半径方向外側から回転巻取部材２０２に向かって第一ストッパー部２１２ａと対応する高さ位置まで延び、自身が第１の回転角度Ａ１よりも小さい第２の回転角度Ａ２まで回転するとき第一ストッパー部２１２ａと当接することができるようになっている第２規制部２１０ｄとが形成されている。
【０１０８】
回転当接部材２１０は、回転巻取部材２０２及び第二回転歯車部材２０６の上方に配置され、回転軸２８２を中心として回転することができる。回転当接部材２１０は、当接部材歯車部２１０ａと、第１当接部２１０ｃと、第２規制部２１０ｄとが共通の回転軸２８２を中心とした一体の回転部材として形成されている。回転当接部材２１０は、一体の回転部材として構成されるので、当接部材歯車部２１０ａの回転方向と回転当接部２１０ｂの回転方向とが同じ方向となる。
【０１０９】
当接部材歯車部２１０ａは、円形の全周から一部を切り欠いたような切り欠け形状（扇形形状又は一部円形状）のギヤを形成している。
回転軸２８２から第１当接部２１０ｃまでの半径（距離）は、回転巻取部材２０２上における回転軸２８２から回転巻取部材受動部２０２ｄまでの半径（距離）とほぼ同じになる部分を有するように形成されている。第１当接部２１０ｃは、回転当接部材２１０が正回転するとき回転巻取部材受動部２０２ｄに当接して、回転巻取部材受動部２０２ｄを引掛けるようにして回転巻取部材２０２を正回転させるようになっている。
【０１１０】
第２規制部２１０ｄは、回転当接部材２１０の上端の上端壁面を形成し、この上端壁面が、上述のように回転当接部材２１０が回転巻取部材２０２とともに連動して逆回転する場合に、回転巻取部材２０２の上端の第１規制部２０２ｅよりも回転の前方側に突出した状態となる。すなわち、第２規制部２１０ｄは、回転当接部材２１０と回転巻取部材２０２とが組み合った状態で、第１規制部２０２ｅよりもさらに回転方向前方側の規制部を形成する。従って、回転当接部材２１０が回転巻取部材２０２とともに連動して正回転する場合、第２規制部２１０ｄが、第一ストッパー部２１２ａと当接し、回転当接部材２１０及び回転巻取部材２０２の回転が停止及び規制される。
【０１１１】
第二回転歯車部材２０６、第三回転歯車部材２０８、第五回転歯車部材２０９、回転当接部材２１０及び回転巻取部材２０２は、操作ハンドル２２６の回転角度に対して回転当接部材２１０及び回転巻取部材２０２の回転角度を増加させる増速機構に組み込まれることができる。増速機構においては、第二歯車部２０６ａと当接部材歯車部２１０ａとのギヤ比（ギヤの歯数の比）が、操作ハンドル２２６により回転される回転軸２８２及び第二回転歯車部材２０６の回転角度に対して、回転当接部材２１０及び回転巻取部材２０２の回転角度を増加させるように形成されている。
【０１１２】
逆に、第二回転歯車部材２０６、第三回転歯車部材２０８、第五回転歯車部材２０９、回転当接部材２１０及び回転巻取部材２０２は、操作ハンドル２２６の回転角度に対して回転当接部材２１０及び回転巻取部材２０２の回転角度を減少させる減速機構に組み込まれることができる。減速機構においては、第二歯車部２０６ａと当接部材歯車部２１０ａとのギヤ比（ギヤの歯数の比）が、操作ハンドル２２６により回転される回転軸２８２及び第二回転歯車部材２０６の回転角度に対して、回転当接部材２１０及び回転巻取部材２０２の回転角度を減少させるように形成されている。
【０１１３】
つぎに、図３３乃至図４０を参照して、本発明の第２実施形態による操作装置、この操作装置を備えた洗浄水タンク装置、及び、この洗浄水タンク装置を備えた水洗大便器の動作（作用）を説明する。
本発明の第２実施形態による操作装置の動作以外の、洗浄水タンク装置、及び、この洗浄水タンク装置を備えた水洗大便器の動作については、本発明の第１実施形態による操作装置を備えた洗浄水タンク装置、及び、この洗浄水タンク装置を備えた水洗大便器の動作と同様であるので説明は省略する。
【０１１４】
先ず、図３３〜図３６により、本発明の第２実施形態による操作装置を備えた洗浄水タンク装置及びこの洗浄水タンク装置が適用された水洗大便器により実行される大洗浄モードについて説明する。
【０１１５】
使用者が操作ハンドル２２６の操作を開始する前の待機状態においては、操作ハンドル２２６は鉛直方向下方に延びる待機位置にあり、図３３（ａ）に示すように、駆動ユニット２８４は、回転巻取部材２０２及び回転巻取部材２０２に取付けられた操作ワイヤ２８が待機位置（初期位置）にあり、操作ワイヤ２８に連結された弁体５６が排水口４６を閉止している状態となっている。このとき貯水タンク１８内の初期水位が満水水位ＷＬ（図３）となっている。
【０１１６】
図３３（ａ）に示す待機状態において、使用者が大洗浄操作を開始させるとき、使用者は操作ハンドル２２６の待機状態から操作ハンドル２２６の持ち手部分２６ａを奥側に引き上げる（押し上げる）ように回転方向Ｄ２に正回転させる。操作ハンドル２２６が正回転されると、操作ハンドル２２６に連結された回転軸２８２が回転方向Ｄ２に正回転される。図３４（ａ）及び図３４（ｂ）に示すように、回転軸２８２が正回転するとき、回転軸２８２の第一掛かり部２８３が回転巻取部材２０２の回転巻取部材受動部２０２ｄに係合し、回転軸２８２と回転巻取部材２０２とが連動して回転方向Ｄ２に正回転する。従って、回転巻取部材２０２は、操作ハンドル２２６及び回転軸２８２の正回転方向の回転に対し、正回転方向Ｄ２（＝Ｄｃｏ）の回転動作を行う。以下説明するように、回転巻取部材２０２は、操作ハンドル２２６の回転方向によらず、常に同一且つ共通の回転方向（巻取り方向）Ｄｃｏ、ｄｃｏに巻取りを行うようになっている。
【０１１７】
図３４（ａ）及び図３４（ｂ）に示すように、回転軸２８２が正回転するとき、回転軸２８２の第一掛かり部２８３は正回転方向Ｄ２に回転するので、第二回転歯車部材２０６の第二回転歯車受動部２０６ｂと係合せずに回転する。よって、図３５乃至図３６に示すように、第二回転歯車部材２０６は回転されず、第二回転歯車部材２０６と噛み合う第三回転歯車部材２０８も回転しない。さらに、第三歯車部２０８ａと連動して回転する第四歯車部２０８ｂも回転しないため、第四歯車部２０８ｂと噛み合う第五回転歯車部材２０９も回転せず、第五歯車部２０９ａと噛み合う当接部材歯車部２１０ａも回転しないから、回転当接部材２１０も回転せずに待機位置で停止したまま維持されている。このとき回転当接部材２１０は回転巻取部材２０２に作用せず、回転巻取部材２０２が回転当接部材２１０とは独立して正回転方向に巻取り動作を行っている。
【０１１８】
回転巻取部材２０２が正回転方向Ｄ２に回転するに伴い、プーリー部１０２ａは、取付部１０２ｃに取付けられた操作ワイヤ２８を巻き上げるように上昇回転する 。操作ワイヤ２８の駆動ユニット側端部２８ａはプーリー部１０２ａの外周に沿った溝部１０２ｆに沿って引き上げられ、操作ワイヤ２８を介して排水弁側端部２８ｂに物理的に連結された弁体５６が引き上げられ貯水タンク１８からの排水動作が行われる。
【０１１９】
図３４（ｂ）に示すように、プーリー部１０２ａの回転は、第１規制部２０２ｅが第一ストッパー部２１２ａと当接することにより規制され、停止される。すなわち、プーリー部１０２ａは、第１の回転範囲に対応する第１の回転角度Ａ１まで回転され、プーリー部１０２ａの回転角度によって決まる操作ワイヤ２８の引き上げ量は比較的大きく設定されている。従って、排水弁装置２４の弁体５６の引き上げ高さも比較的高い位置ｈ１になり、貯水タンク１８から便器本体２に供給される洗浄水の量が比較的大量となる大洗浄モードの洗浄動作を行う。
【０１２０】
使用者が操作ハンドル２２６から手を放すと、回転巻取部材２０２は戻りばね１０４により元の待機状態に戻るように戻り回転する。回転巻取部材２０２が元の待機状態に戻ると操作ハンドル２２６が同じく戻るように回転して元の待機状態に戻る。回転巻取部材２０２が元の待機状態に戻り、操作ワイヤ２８に接続された弁体５６が排水口４６を閉止すると排水弁装置２４の排水動作が終了し、所定の給水動作を行って、貯水タンク１８内に満水水位ＷＬまで給水して、使用者が操作ハンドル２２６を操作する前の待機状態に戻る。
【０１２１】
つぎに、図３７乃至図４０により、本発明の第２実施形態による操作装置を備えた洗浄水タンク装置及びこの洗浄水タンク装置が適用された水洗大便器により実行される小洗浄モードについて説明する。
図３７（ａ）に示されるような使用者が小洗浄モードの洗浄を行わせる操作ハンドル２６の操作を開始する前の待機状態における洗浄水タンク装置及び駆動ユニットの状態おいては、上述した図３３（ａ）に示されている大洗浄モードの場合と同様であるため、説明は省略する。
【０１２２】
図３７（ａ）に示す待機状態において、使用者が小洗浄モードによる排水を行う手動操作を開始させるとき、使用者は操作ハンドル２２６の待機状態から操作ハンドル２２６の持ち手部分２６ａを便器本体２の手前側に引き上げるように回転方向ｄ２に逆回転させる。操作ハンドル２２６が逆回転されると、操作ハンドル２２６に連結された回転軸２８２が回転方向ｄ２に逆回転される。図３８（ｂ）に示すように、回転軸２８２が逆回転方向ｄ２に回転するとき、回転軸２８２の第一掛かり部２８３が第二回転歯車部材２０６の第二回転歯車受動部２０６ｂに係合し、回転軸２８２と第二回転歯車部材２０６とが連動して回転方向ｄ２に逆回転する。図３９（ａ）及び図３９（ｂ）に示すように第二回転歯車部材２０６の第二歯車部２０６ａと噛み合う第三回転歯車部材２０８の第三歯車部２０８ａは、第二歯車部２０６ａと逆の正回転方向ｄ３で回転する。図４０（ａ）及び図４０（ｂ）に示すように第三回転歯車部材２０８の第三歯車部２０８ａ及び第四歯車部２０８ｂは、連動して同じ正回転方向ｄ３で回転するので、第四歯車部２０８ｂと係合する第五歯車部２０９ａは、第四歯車部２０８ｂと逆の逆回転の回転方向ｄ２で回転する。さらに、図４０（ａ）に示すように、第五回転歯車部材２０９の第五歯車部２０９ａと噛み合う回転当接部材２１０の当接部材歯車部２１０ａは、第五歯車部２０９ａと逆の正回転の回転方向ｄ３で回転する。図３８（ａ）及び図３８（ｂ）に示すように、回転当接部材２１０が正回転方向ｄ３に回転するとき、回転当接部材２１０の第１当接部２１０ｃは、回転巻取部材２０２の回転巻取部材受動部２０２ｄと当接して係合した状態となり、回転当接部材２１０が回転巻取部材２０２とともに連動して正回転する。
従って、回転巻取部材２０２は、回転軸２８２が逆回転方向ｄ２に回転するのに対し、第二回転歯車部材２０６、第三回転歯車部材２０８、第五回転歯車部材２０９及び回転当接部材２１０により回転方向を変換した結果、正回転方向ｄ３（＝ｄｃｏ）の回転動作を行う。このように小洗浄モードの場合に、大洗浄モードの場合と比べて、回転を伝達する歯車の数を異ならせることで回転当接部材２１０及び回転巻取部材２０２の回転方向を大洗浄モードの場合と同一にすることができる。
このように、回転巻取部材２０２は、使用者が小洗浄モードによる排水を行うために操作ハンドル２２６を逆回転させる場合にも、操作ハンドル２２６の回転方向によらず、常に同一且つ共通の逆回転方向（巻取り方向）Ｄｃｏ、ｄｃｏに操作ワイヤ２８の巻取りを行うようになっている。
【０１２３】
この回転において、図３８（ｂ）に示すように、回転軸２８２が逆回転するので、回転軸２８２の第一掛かり部２８３は回転巻取部材２０２の回転巻取部材受動部２０２ｄに係合しないようになっている。よって、図３８（ｂ）に示すように、第二回転歯車部材２０６は回転軸２８２によって直接に回転巻取部材受動部２０２ｄが作動されているわけではない。しかしながら、回転巻取部材２０２は、第二回転歯車部材２０６、第三回転歯車部材２０８、第五回転歯車部材２０９及び回転当接部材２１０により間接的に回転されるようになっている。
【０１２４】
回転巻取部材２０２が正回転方向ｄ３（＝ｄｃｏ）に回転するに伴い、プーリー部１０２ａは、取付部１０２ｃに取付けられた操作ワイヤ２８を巻き上げるように上昇回転する。操作ワイヤ２８の駆動ユニット側端部２８ａはプーリー部１０２ａの外周に沿った溝部１０２ｆに沿って引き上げられ、操作ワイヤ２８を介して排水弁側端部２８ｂに物理的に連結された弁体５６が引き上げられ貯水タンク１８からの排水動作が行われる。
【０１２５】
図４０（ｂ）に示すように、プーリー部１０２ａの回転は、回転当接部材２１０の第２規制部２１０ｄが第一ストッパー部２１２ａと当接することにより規制され、停止される。すなわち、プーリー部１０２ａは、図４０（ａ）に示すような、第２の回転範囲に対応する第２の回転角度Ａ２まで回転され、プーリー部の回転角度によって決まる操作ワイヤ２８の引き上げ量は比較的小さく設定されている。第２の回転角度Ａ２は、第１の回転角度Ａ１よりも小さくされている。従って、排水弁装置２４の弁体５６の引き上げ高さも比較的低い位置ｈ２になり、貯水タンク１８から便器本体２に供給される洗浄水の量が比較的小量に抑えられている小洗浄モードの洗浄動作を行う。
【０１２６】
使用者が操作ハンドル２２６から手を放すと、回転巻取部材２０２は戻りばね１０４により元の待機状態に戻るように戻り回転する。回転巻取部材２０２が元の待機状態に戻るとき操作ハンドル２２６が同じく戻るように回転して元の待機状態に戻る。回転巻取部材２０２が元の待機状態に戻り、操作ワイヤ２８に接続された弁体５６が排水口４６を閉止すると排水弁装置２４の排水動作が終了し、所定の給水動作を行って、貯水タンク１８内に満水水位ＷＬまで給水して、駆動ユニット２８４内の各歯車部も図３７（ａ）に示すような使用者が操作ハンドル２２６を操作する前の待機状態に戻る。
【０１２７】
上述した本発明の第２実施形態による操作装置２３０によれば、使用者が正回転、またはその逆回転の回転操作を選択することにより大洗浄、または小洗浄を選択することができる操作ハンドル２２６を操作し、回転軸２８２の回転方向が正回転方向である場合、回転軸２８２の回転方向が逆回転方向である場合のいずれの場合にも、回転方向変換機構２９６が、回転巻取機構２９４の回転方向が同じ所定の回転方向Ｄｃｏ、ｄｃｏとなるように回転軸２８２から回転巻取機構２９４に伝達される回転方向を変換することができる。従って、回転巻取機構２９４が自身の回転方向に沿って操作ワイヤ２８を巻き上げる巻き上げ量のばらつきを抑制することができ、弁体５６を適切に作動させ、適切な洗浄水量により便器を洗浄させることができる。
また、使用者が操作ハンドル２２６を正回転、またはその逆回転の回転操作を選択して操作するだけで、規制機構２９８が、回転軸２８２の回転方向が正回転方向である場合、回転軸２８２の回転方向が逆回転方向である場合のうちいずれか一方の場合における回転巻取機構２９４の回転角度Ａ１が、いずれか他方の場合における回転巻取機構２９４の回転角度Ａ２よりも小さくなるように、回転巻取機構２９４の回転角度を規制することができる。よって、回転巻取機構２９４が自身の回転方向に沿って操作ワイヤ２８を巻き上げる量を適切に変更することができる。従って、使用者が操作ハンドル２２６の正回転またはその逆回転の回転操作を選択するだけで、簡単に大洗浄、または小洗浄を選択して、弁体５６を適切に作動させ、適切な洗浄水量により便器を洗浄させることができ、使用者の使い勝手を向上させることができる。
【０１２８】
さらに、本発明の第２実施形態による操作装置２３０によれば、使用者が正回転、またはその逆回転の回転操作を選択することにより大洗浄、または小洗浄を選択することができる操作ハンドル２２６を操作し、回転軸２８２の回転方向が正回転方向である場合、回転軸２８２の回転方向が逆回転方向である場合のいずれの場合にも、駆動ユニット２８４の回転方向変換機構２９６が、回転巻取部材２０２の回転方向が同じ所定の回転方向となるように回転軸２８２から回転巻取部材２０２に伝達される回転方向を変換することができる。
すなわち、回転軸２８２の回転方向が正回転方向である場合、回転軸２８２の回転方向が逆回転方向である場合のうちいずれか一方の場合においては、回転巻取部材２０２は、回転軸２８２と連動して回転軸２８２の回転方向と同じ方向に回転する。よって、回転巻取部材２０２は、回転軸２８２の回転方向と同じ方向の回転により操作ワイヤ２８を巻き上げることができる。
一方、回転軸２８２の回転方向が正回転方向である場合、回転軸２８２の回転方向が逆回転方向である場合のうちいずれか他方の場合においては、第二回転歯車部材２０６が、回転軸２８２と連動して同じ方向に回転する。第二回転歯車部材２０６の第二歯車部２０６ａは、第三回転歯車部材２０８の第三歯車部２０８ａと係合しながら回転し、第三回転歯車部材２０８は、第二回転歯車部材２０６の回転方向と逆の方向に回転する。第三歯車部２０８ａと第四歯車部２０８ｂとはともに連動して同じ方向に回転する。さらに、第三回転歯車部材２０８の第四歯車部２０８ｂは、第五回転歯車部材２０９の第五歯車部２０９ａと係合しながら回転し、第五回転歯車部材２０９は、第三回転歯車部材２０８の回転方向と逆の方向に回転する。次に、第五回転歯車部材２０９の第五歯車部２０９ａは、回転当接部材２１０の当接部材歯車部２１０ａと係合しながら回転し、回転当接部材２１０は、回転軸２８２の回転とは独立して、第五回転歯車部材２０９の回転方向と逆の方向に回転する。回転当接部材２１０の第１当接部２１０ｃは、回転巻取部材２０２の回転巻取部材受動部２０２ｄと係合し、回転当接部材２１０の回転方向と同じ方向に回転巻取部材２０２を回転させる。よって、回転巻取部材２０２は、回転軸２８２の回転方向と逆の回転方向に回転する。このようにして、回転巻取部材２０２は、回転軸２８２の回転方向と逆の回転方向の回転により操作ワイヤ２８を巻き上げることができる。
従って、回転軸２８２の回転方向が正回転方向である場合、回転軸２８２の回転方向が逆回転方向である場合のいずれの場合にも、回転方向変換機構２９６が、回転巻取部材２０２の回転方向が同じ所定の回転方向となるように回転軸２８２から回転巻取部材２０２に伝達される回転方向を変換することができ、比較的簡易な構造により、回転巻取部材２０２の回転方向を同一にすることができる。
従って、使用者が操作ハンドル２２６を正回転、またはその逆回転のいずれの方向に操作した場合にも、回転巻取部材２０２が自身の回転方向に沿って適切に操作ワイヤ２８を巻き上げることができ、弁体５６を適切に作動させることができる。
【０１２９】
さらに、本発明の第２実施形態による操作装置２３０によれば、回転軸２８２の回転方向が正回転方向である場合、回転軸２８２の回転方向が逆回転方向である場合のうちいずれか一方の場合においては、回転軸２８２の第一掛かり部２８３が、回転巻取部材受動部２０２ｄと当接し、回転巻取部材２０２が回転する。回転巻取部材２０２が第１の回転角度Ａ１まで回転するとき、第１規制部２０２ｅがカバー部材２１２の第一ストッパー部２１２ａと当接し、回転巻取部材２０２が操作ワイヤ２８を巻き上げる回転範囲が第１の回転範囲に規制される。
また、回転軸２８２の回転方向が正回転方向である場合、回転軸２８２の回転方向が逆回転方向である場合のうちいずれか他方の場合においては、第二回転歯車部材２０６が、回転軸２８２と連動して同じ方向に回転する。第二回転歯車部材２０６の第二歯車部２０６ａは、第三回転歯車部材２０８の第三歯車部２０８ａと係合しながら回転する。第三歯車部２０８ａと第四歯車部２０８ｂとはともに連動して同じ方向に回転する。さらに、第三回転歯車部材２０８の第四歯車部２０８ｂは、第五回転歯車部材２０９の第五歯車部２０９ａと係合しながら回転する。次に、第五歯車部２０９ａは、回転当接部材２１０の当接部材歯車部２１０ａと係合しながら回転し、回転当接部材２１０は、回転軸２８２の回転とは独立して、第五回転歯車部材２０９の回転方向と逆の方向に回転する。回転当接部材２１０の第１当接部２１０ｃは、回転巻取部材２０２の回転巻取部材受動部２０２ｄと係合し、回転当接部材２１０の回転方向と同じ方向に回転巻取部材２０２を回転させる。回転当接部材２１０及び回転巻取部材２０２が第２の回転角度Ａ２まで回転するとき、回転当接部材２１０の第２規制部２１０ｄがカバー部材２１２の第一ストッパー部２１２ａと当接し、回転巻取部材２０２が操作ワイヤ２８を巻き上げる回転範囲が第１の回転範囲よりも小さい第２の回転範囲に規制される。
従って、使用者が操作ハンドル２２６を正回転、またはその逆回転の回転操作を選択して操作するだけで、回転軸２８２の回転方向が正回転方向である場合、回転軸２８２の回転方向が逆回転方向である場合のうちいずれか一方の場合における回転巻取部材２０２の回転角度Ａ１に対して、回転軸２８２の回転方向が正回転方向である場合、回転軸２８２の回転方向が逆回転方向である場合のうちいずれか他方の場合における回転巻取部材２０２の回転角度Ａ２が小さくなるように、駆動ユニット２８４の規制機構２９８が、回転巻取部材２０２の回転範囲を規制することができる。よって、回転巻取部材２０２が自身の回転方向に沿って操作ワイヤ２８を巻き上げる量を適切に変更することができる。従って、使用者が操作ハンドル２２６の正回転またはその逆回転の回転操作を選択するだけで、簡単に大洗浄、または小洗浄を選択することができ、使用者の使い勝手が向上する。
【０１３０】
さらに、本発明の第２実施形態による操作装置２３０によれば、駆動ユニット２８４は、回転巻取部材２０２の回転の軸が、回転軸２８２と同軸に構成されているので、駆動ユニット全体をコンパクトに構成することができる。
【符号の説明】
【０１３１】
１            水洗大便器
２            便器本体
４            ボウル部
１６          洗浄水タンク装置
１８          貯水タンク
２４          排水弁装置
２６          操作ハンドル
２８          操作ワイヤ
３０          操作装置
５６          弁体
８０          ガイド部材
８２          回転軸
８４          駆動ユニット
９４          回転巻取機構
９６          回転方向変換機構
９８          規制機構
１００        第一回転歯車部材
１００ａ      第一歯車部
１００ｂ      第一内側突出部
１０２ａ      プーリー部
１０２        回転巻取部材
１０２ｄ      回転巻取部材受動部
１０２        回転当接部
１０２ｂ      巻取部材歯車部
１０２ｅ      第１規制部
１０６        第二回転歯車部材
１０６ａ      第二歯車部
１０６ｂ      第二内側突出部
１０８        第三回転歯車部材
１０８ａ      第三歯車部
１１０ｂ      回転当接部
１１０        回転当接部材
１１０ｄ      第２規制部
１１０ｃ      第１当接部
１１０ａ      当接部材歯車部
１１２        カバー部材
１１２ａ      第一ストッパー部
２０２        回転巻取部材
２０２ｄ      回転巻取部材受動部
２０２ｅ      第１規制部
２０６ｂ      第二回転歯車受動部
２０６        第二回転歯車部材
２０６ａ      第二歯車部
２０８        第三回転歯車部材
２０８ａ      第三歯車部
２０８ｂ      第四歯車部
２０９        第五回転歯車部材
２０９ａ      第五歯車部
２１０ｂ      回転当接部
２１０        回転当接部材
２１０ｄ      第２規制部
２１０ｃ      第１当接部
２１０ａ      当接部材歯車部
２１２        カバー部材
２１２ａ      第一ストッパー部
２２６        操作ハンドル
２３０        操作装置
２５０        第二回転歯車部材
２８２        回転軸
２８３        第一掛かり部
２８４        駆動ユニット
２９４        回転巻取機構
２９６        回転方向変換機構
２９８        規制機構
１２０１      ハンドトグル
１２０２      伝動ロッド
１２０４      回転ディスク
１２０６      連接ロッド
１２０８      案内ブロック
１２０９      ケーシング
１２１０      伝動ロープ
【図１】
2015190244.tif 000003
【図２】
2015190244.tif 000004
【図３】
2015190244.tif 000005
【図４】
2015190244.tif 000006
【図５】
2015190244.tif 000007
【図６】
2015190244.tif 000008
【図７】
2015190244.tif 000009
【図８】
2015190244.tif 000010
【図９】
2015190244.tif 000011
【図１０】
2015190244.tif 000012
【図１１】
2015190244.tif 000013
【図１２】
2015190244.tif 000014
【図１３】
2015190244.tif 000015
【図１４】
2015190244.tif 000016
【図１５】
2015190244.tif 000017
【図１６】
2015190244.tif 000018
【図１７】
2015190244.tif 000019
【図１８】
2015190244.tif 000020
【図１９】
2015190244.tif 000021
【図２０】
2015190244.tif 000022
【図２１】
2015190244.tif 000023
【図２２】
2015190244.tif 000024
【図２３】
2015190244.tif 000025
【図２４】
2015190244.tif 000026
【図２５】
2015190244.tif 000027
【図２６】
2015190244.tif 000028
【図２７】
2015190244.tif 000029
【図２８】
2015190244.tif 000030
【図２９】
2015190244.tif 000031
【図３０】
2015190244.tif 000032
【図３１】
2015190244.tif 000033
【図３２】
2015190244.tif 000034
【図３３】
2015190244.tif 000035
【図３４】
2015190244.tif 000036
【図３５】
2015190244.tif 000037
【図３６】
2015190244.tif 000038
【図３７】
2015190244.tif 000039
【図３８】
2015190244.tif 000040
【図３９】
2015190244.tif 000041
【図４０】
2015190244.tif 000042
【図４１】
2015190244.tif 000043
【図４２】
2015190244.tif 000044